(57)【特許請求の範囲】
【請求項１】
各種検出信号の入力に基づいて各種制御を行う主制御装置と、
前記主制御装置から出力される信号に基づいて遊技球の払出しに関する制御を行う払出制御装置と、
前記払出制御装置から出力される信号に基づいて所定数の遊技球を払出す払出手段とを備え、
前記払出手段は、
遊技球が流下可能な球通路と、
前記球通路内における遊技球の流下を制止可能な制止部材と、
前記制止部材を変位させることのできる駆動手段と、
遊技球の払出しを検出する払出検出手段と、
前記払出手段に搭載された部材のうち少なくとも前記駆動手段を覆うカバー手段と、
前記カバー手段によって覆われるカバー領域と前記球通路とを隔離するベース部材とを備え、
前記払出制御装置が前記主制御装置及び前記払出検出手段からの信号に基づいて前記駆動手段を駆動制御することで、前記制止部材によって制止されていた遊技球が所定数だけ前記制止部材の下流側に流下して、所定数の遊技球が払出される構成であって、
前記払出検出手段の前記球通路側からの取外しを規制する第１の規制手段と、
前記制止部材の前記球通路側からの取外しを規制する第２の規制手段とを備え、
前記球通路を構成する壁部の一部が、前記払出手段に対して着脱可能に設けられた蓋部材によって構成されるとともに、
前記カバー手段は、固定手段によって前記払出手段に対して取外不可能に取付けられ、
前記カバー手段が前記固定手段によって前記払出手段に取付けられることで、前記第１の規制手段が前記払出手段に対して取外不可能とされ、
前記カバー手段を前記払出手段から離脱させる場合には、前記払出手段及び前記カバー手段のうち少なくとも一方に対して所定の痕跡が形成され、
前記カバー手段には、前記固定手段を囲むようにして複数の孔部が近接して形成されていることを特徴とする遊技機。
【発明の詳細な説明】
【技術分野】
【０００１】
本発明は、パチンコ機等の遊技機に関するものである。
【背景技術】
【０００２】
一般にパチンコ機等の遊技機では、遊技領域へと打ち出された遊技球が入賞口へ入賞すると所定数の遊技球が遊技者に払出される構成となっている。例えば、遊技球の入賞口への入賞が検出されると、主制御装置が払出制御装置に対して遊技球を払出す旨の信号を出力するとともに、払出制御装置が当該信号に基づいて払出モータを駆動することによって遊技球の払出しが行われるのである。このようにして払出される遊技球は検出スイッチによってカウントされ、カウント値が払出すべき値に達した場合に遊技球の払出しが終了する（例えば、特許文献１参照）。
【先行技術文献】
【特許文献】
【０００３】
【特許文献１】特開２００７−１４６６１号公報
【発明の概要】
【発明が解決しようとする課題】
【０００４】
ところが、検出スイッチによる遊技球の検出が正常に行われなかったり、払出モータが正常に駆動しなかったりする場合には、遊技球が過剰に払出されたり、実際に払出される遊技球の球数が払出すべき遊技球の球数に到達しなかったりするおそれがある。このため、不当に遊技球を獲得したり、払出される遊技球を不当に削減したりする目的で、意図的に検出スイッチや払出モータを誤作動させる等の不正が行われることが懸念される。
【０００５】
本発明は、上記例示した事情等に鑑みてなされたものであり、その目的は、遊技球の払出しに関する不正を抑制することのできる遊技機を提供することにある。
【課題を解決するための手段】
【０００６】
本発明の遊技機は、
各種検出信号の入力に基づいて各種制御を行う主制御装置と、
前記主制御装置から出力される信号に基づいて遊技球の払出しに関する制御を行う払出制御装置と、
前記払出制御装置から出力される信号に基づいて所定数の遊技球を払出す払出手段とを備え、
前記払出手段は、
遊技球が流下可能な球通路と、
前記球通路内における遊技球の流下を制止可能な制止部材と、
前記制止部材を変位させることのできる駆動手段と、
遊技球の払出しを検出する払出検出手段と、
前記払出手段に搭載された部材のうち少なくとも前記駆動手段を覆うカバー手段と、
前記カバー手段によって覆われるカバー領域と前記球通路とを隔離するベース部材とを備え、
前記払出制御装置が前記主制御装置及び前記払出検出手段からの信号に基づいて前記駆動手段を駆動制御することで、前記制止部材によって制止されていた遊技球が所定数だけ前記制止部材の下流側に流下して、所定数の遊技球が払出される構成であって、
前記払出検出手段の前記球通路側からの取外しを規制する第１の規制手段と、
前記制止部材の前記球通路側からの取外しを規制する第２の規制手段とを備え、
前記球通路を構成する壁部の一部が、前記払出手段に対して着脱可能に設けられた蓋部材によって構成されるとともに、
前記カバー手段は、固定手段によって前記払出手段に対して取外不可能に取付けられ、
前記カバー手段が前記固定手段によって前記払出手段に取付けられることで、前記第１の規制手段が前記払出手段に対して取外不可能とされ、
前記カバー手段を前記払出手段から離脱させる場合には、前記払出手段及び前記カバー手段のうち少なくとも一方に対して所定の痕跡が形成され、
前記カバー手段には、前記固定手段を囲むようにして複数の孔部が近接して形成されていることを特徴としている。
【発明の効果】
【０００７】
本発明によれば、遊技球の払出しに関する不正を抑制することができる。
【図面の簡単な説明】
【０００８】
【図１】一実施形態におけるパチンコ機を示す正面図である。
【図２】パチンコ機の斜視図である。
【図３】パチンコ機の右側面図である。
【図４】内枠及び前面枠セットを開放した状態を示す斜視図である。
【図５】内枠及び遊技盤の構成を示す正面図である。
【図６】パチンコ機の構成を示す背面図である。
【図７】電気的構成を示すブロック図である。
【図８】主制御装置のメイン処理を示すフローチャートである。
【図９】主制御装置の通常処理を示すフローチャートである。
【図１０】払出制御装置の受信割込み処理を示すフローチャートである。
【図１１】払出制御装置のメイン処理を示すフローチャートである。
【図１２】払出制御装置のタイマ割込み処理を示すフローチャートである。
【図１３】払出制御装置のコマンド判定処理を示すフローチャートである。
【図１４】払出制御装置の払出確認処理を示すフローチャートである。
【図１５】払出装置の斜視図である。
【図１６】蓋部材を取外した状態の払出装置の正面図である
【図１７】払出装置の左側面図である。
【図１８】払出装置の下面図である。
【図１９】蓋部材を取外した状態の払出装置の斜視図である。
【図２０】払出装置を示す背面側から見たときの分解斜視図である。
【図２１】払出装置を示す前面側から見たときの分解斜視図である。
【図２２】払出装置の断面図である。
【図２３】別の実施形態における払出装置の模式断面図である。
【図２４】別の実施形態における払出装置の背面図である。
【図２５】別の実施形態における払出装置の分解斜視図である。
【発明を実施するための形態】
【０００９】
以下、パチンコ遊技機（以下、単に「パチンコ機」という）の一実施形態を、図面に基づいて詳細に説明する。ここで、図１はパチンコ機１０の正面図であり、図２は斜視図であり、図３は右側面図である。また、図４は、内枠１２及び前面枠セット１４を開放した状態を示す斜視図である。但し、図４では便宜上、遊技盤３０面上に配設される釘や役物、前面枠セット１４に取付けられるガラスユニット１３７などを省略して示している。
【００１０】
図１乃至図４に示すように、パチンコ機１０は、当該パチンコ機１０の外郭を構成する外枠１１を備えており、この外枠１１の一側部に内枠１２が開閉可能に支持されている。外枠１１は、例えば木製の板材により全体として矩形状に構成され、小ネジ等の離脱可能な締結具により各板材が組み付けられている。
【００１１】
外枠１１には、その左辺部において上ヒンジ８１及び下ヒンジ８２が設けられている。当該上ヒンジ８１及び下ヒンジ８２にて、内枠１２の上下部が回動可能に支持されており、これにより内枠１２が開閉可能に支持される。さらに、外枠１１下部には、樹脂製の幕板飾り８５が取着されている。
【００１２】
内枠１２の開閉軸線は、上述したようにパチンコ機１０の正面からみて左側において上下に沿って設定されており、この開閉軸線を軸心として内枠１２が前方側に開放できるようになっている。内枠１２は、外形が矩形状をなす青色の樹脂ベース３８を主体に構成されており、当該樹脂ベース３８の中央部には略楕円形状の窓孔３９が形成されている。
【００１３】
また、内枠１２の前面側には、前扉としての前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１４】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００１５】
前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。
【００１６】
下皿１５の右方には、手前側に突出した遊技球発射ハンドル（以下、単にハンドルという）１８が設けられ、下皿１５の左方には、灰皿２６が設けられている。尚、ハンドル１８には、図示しないタッチセンサや、ハンドル１８の操作部の操作量を検出するための図示しない操作量検出手段が設けられている。
【００１７】
下皿１５の上方には上皿１９が設けられている。上皿１９は、遊技球を一旦貯留し、一列に整列させながら後述する遊技球発射装置（以下、単に発射装置という）７０の方へ案内する球受皿である。なお、上皿１９から溢れる遊技球は下皿１５へ案内されるようになっている。
【００１８】
上皿１９には球貸しボタン１２１と返却ボタン１２２とが設けられている。これにより、遊技場等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００１９】
また、前面枠セット１４の前面にはその周囲に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。さらに、中央電飾部１０３の左右側方には、所定のエラー時に点灯するエラー表示ランプ１０４が設けられている。また、各エラー表示ランプ１０４に隣接してスピーカＳＰが設けられるとともに、当該スピーカＳＰの前側にスピーカカバー２４が取着されている。
【００２０】
前面枠セット１４の背面側にはガラスユニット１３７が取付けられている。ガラスユニット１３７は、従来の前後一対の矩形状の板ガラスが前後対を為して別々に取着されるものではなく、全体として丸形をなし、アッセンブリ化された上で取付けられている。
【００２１】
次に、内枠１２（樹脂ベース３８）について説明する。上述した通り、内枠１２（樹脂ベース３８）には、窓孔３９の後側に遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２２】
また、内枠１２（樹脂ベース３８）の下部、すなわち窓孔３９（遊技盤３０）の下方位置には、後側へ膨出した膨出部４０が形成されている。この膨出部４０の前面右側には、発射装置７０が取付けられている。本実施形態では、発射装置７０としてソレノイド式発射装置を採用している。また、膨出部４０には、後述する払出機構部３５２から上記下皿１５の排出口１６へ繋がる排出球通路７１が設けられている。また、発射装置７０の発射レール７０ａと後述するレール５０（外レール構成部５２）との間には所定間隔の隙間があり、この隙間より下方にファール球通路７２が形成されている。これにより、仮に、発射装置７０から発射された遊技球が後述する戻り球防止部材５３まで至らずファール球としてレール５０を逆戻りする場合には、そのファール球がファール球通路７２及び排出球通路７１を介して下皿１５に排出される。また、排出球通路７１の下側にはハーネスカバー７４が設けられている。これにより中継基板７５と発射装置７０とを接続するハーネス（図示略）をまとめている。
【００２３】
次に、遊技盤３０の構成について図５を参照して説明する。遊技盤３０には、一般入賞口３１、可変入賞装置３２、第１契機対応口（作動口）３３、第２契機対応口３４、可変表示装置ユニット３５等がルータ加工によって形成された貫通穴に配設され、遊技盤３０前面側から木ネジ等により取付けられている。周知の通り前記一般入賞口３１、可変入賞装置３２、第１契機対応口３３に遊技球が入球（入賞）すると、それぞれに対応して設けられた検出スイッチの出力により、上皿１９（または下皿１５）へ所定数の賞球が払い出される。その他に、遊技盤３０にはアウト口３６が設けられており、各種入賞部（一般入賞口３１、可変入賞装置３２、第１契機対応口３３）に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００２４】
可変表示装置ユニット３５には、第２契機対応口３４の通過をトリガとして変動表示する普通図柄表示装置４１と、第１契機対応口３３への入賞をトリガとして変動表示する特別表示装置４３と、特別表示装置４３による変動表示に合わせて変動表示する可変表示装置としての装飾図柄表示装置４２とが設けられている。
【００２５】
普通図柄表示装置４１は複数の発光手段（ＬＥＤ）を内蔵しており、遊技球が第２契機対応口３４を通過する毎に点灯表示態様が切換表示（変動表示）され、その変動表示が特定の点灯態様で数秒間停止した場合に第１契機対応口３３が所定時間だけ作動状態となる（開放される）。この普通図柄表示装置４１は、後述する主制御装置２６１によって直接的に表示内容が制御される。また、普通図柄表示装置４１の変動表示中に、新たに遊技球が第２契機対応口３４を通過した場合には、その分の普通図柄の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００２６】
特別表示装置４３は、普通図柄表示装置４１の側方に設けられた複数の発光部により構成され、遊技球が第１契機対応口３３を通過する毎に点灯する発光部の組合せが切換えられる（変動表示される）。そして、変動表示が停止したときに点灯している発光部の組合わせにより、大当たりか否かが確定的に表示される。この特別表示装置４３についても、主制御装置２６１によって表示内容が直接的に制御される。また、特別表示装置４３の変動表示中に新たに遊技球が第１契機対応口３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４６にて点灯表示されるようになっている。また、大当たり状態中に新たに遊技球が第１契機対応口３３に入賞した場合、その分の変動表示についても保留される。
【００２７】
装飾図柄表示装置４２は液晶表示装置として構成されており、後述するサブ制御装置２６２によって表示内容が制御される。すなわち、装飾図柄表示装置４２においては、特別表示装置４３にて表示される結果に対応させるように、主制御装置２６１からのコマンドに基づき、サブ制御装置２６２によって補助的な表示内容が決定され、後述する表示制御装置４５によって表示が行われる。装飾図柄表示装置４２には、例えば、上、中及び下の３つの図柄列が表示される。各図柄列は複数の図柄によって構成されており、これら図柄が図柄列毎にスクロールされるようにして装飾図柄表示装置４２に変動表示され、その後、上図柄列→下図柄列→中図柄列の順に停止表示される。また、可変表示装置ユニット３５には、装飾図柄表示装置４２を囲むようにしてセンターフレーム４７が配設されている。
【００２８】
可変入賞装置３２は、通常は遊技球が入賞できない又は入賞し難い閉状態になっており、大当たり（特別遊技状態の発生）の際に、遊技球が入賞しやすい開状態とされる。具体的には、所定時間の経過又は所定個数の入賞を１ラウンドとして、可変入賞装置３２の大入賞口が所定回数（所定ラウンド数）繰り返し開放される。
【００２９】
また、遊技盤３０には、発射装置７０から発射された遊技球を遊技盤３０上部へ案内するレール５０が取付けられている。これにより、ハンドル１８の回動操作に伴い発射された遊技球はレール５０を通じて、遊技盤面上に形成された遊技領域内に案内される。レール５０は内レール構成部５１と外レール構成部５２とからなる。
【００３０】
内レール構成部５１の先端部分（図５の左上部）には戻り球防止部材５３が取着されている。これにより、一旦、レール５０から遊技盤３０の上部へと案内された遊技球が再度レール５０内に戻ってしまうといった事態が防止される。
【００３１】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、内外レール構成部５１，５２の並行部分を除く。
【００３２】
次に、パチンコ機１０の背面の構成を図６に基づいて説明する。パチンコ機１０にはその背面（実際には内枠１２及び遊技盤３０の背面）において、各種制御基板が上下左右に並べられるようにして、一部前後に重ねられるようにして配置されており、さらに、遊技球を供給する遊技球供給装置（払出機構）や樹脂製の保護カバー等が取り付けられている。本実施形態では、各種制御基板を２つの取付台に分けて搭載して２つの制御基板ユニットを構成し、それら制御基板ユニットを個別に内枠１２又は遊技盤３０の裏面に装着するようにしている。この場合において、主基板とサブ制御基板とを一方の取付台に搭載してユニット化すると共に、払出制御基板、発射制御基板及び電源基板を他方の取付台に搭載してユニット化している。ここでは便宜上、前者のユニットを「第１制御基板ユニット２０１」と称し、後者のユニットを「第２制御基板ユニット２０２」と称することとする。また、払出機構及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００３３】
なお、第１制御基板ユニット２０１、第２制御基板ユニット２０２及び裏パックユニット２０３は、ユニット単位で工具等を用いずとも着脱できるよう構成されており、さらに、一部に支軸部を設けて内枠１２又は遊技盤３０の裏面に対して開閉できる構成となっている。
【００３４】
まず、遊技盤３０の背面構成について説明する。上述したように遊技盤３０の中央にはルータ加工によって形成された貫通穴に対して可変表示装置ユニット３５が配設されている。この可変表示装置ユニット３５に対し、センターフレーム４７を背後から覆う樹脂製のフレームカバー２１３が後方に突出して設けられている。さらに、フレームカバー２１３の後端に、液晶表示装置たる装飾図柄表示装置４２と表示制御装置４５とが前後に重ねられた状態で着脱可能に取り付けられている。フレームカバー２１３内には、センターフレーム４７に内蔵されたＬＥＤ等を駆動するＬＥＤ制御基板などが配設されている。
【００３５】
また、遊技盤３０の裏面には、可変表示装置ユニット３５を取り囲むようにして図示しない裏枠セットが取付けられている。この裏枠セットは、遊技盤３０の裏面に張り付くようにして設けられる薄型の樹脂成形品であって、各種入賞口に入賞した遊技球を回収するための球回収機構を備えている。また、内枠１２には、裏枠セット（遊技盤３０）の下方位置において排出通路盤２１７が取付けられており、該排出通路盤２１７には排出球をパチンコ機１０外部へ排出する排出シュート２１８が形成されている。従って、一般入賞口３１等に入賞した遊技球は何れも裏枠セットの球回収機構を介して集合し、さらに排出通路盤２１７の排出シュート２１８を介してパチンコ機１０外部に排出される。なお、アウト口３６も同様に排出シュート２１８に通じており、何れの入賞口にも入賞しなかった遊技球も排出シュート２１８を介してパチンコ機１０外部に排出される。
【００３６】
また、遊技盤３０の裏面には、各種入賞口などの遊技球の通過を検出する入賞感知機構（検出スイッチ）などが設けられている。入賞感知機構にて各々検出された検出結果は、後述する主基板（主制御装置２６１）に取り込まれ、該主基板よりその都度の入賞状況に応じた払出指令（遊技球の払出個数）が払出制御基板に送信される。そして、該払出制御基板の出力により所定数の遊技球の払出が実施される。本実施形態のパチンコ機１０では、各種入賞口毎に遊技球の入賞を電気的に感知して払出が直ちに行われる。
【００３７】
第１制御基板ユニット２０１は、主制御装置２６１と、サブ制御装置２６２とを具備している。主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主基板を具備しており、この主基板が透明樹脂材料等よりなる基板ボックス２６３に収容されて構成されている。なお、基板ボックス２６３は、略直方体形状のボックスベースと該ボックスベースの開口部を覆うボックスカバーとを備えている。これらボックスベースとボックスカバーとは封印ユニットによって連結されており、基板ボックス２６３が開封された場合には、封印ユニットにおいて所定の痕跡が残るよう構成されている。これにより、基板ボックス２６３が不正に開封された旨を容易に発見することができる。
【００３８】
また、サブ制御装置２６２は、主制御装置２６１（主基板）からの指示に従い各種演出制御を司るＣＰＵや、各種プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含むサブ制御基板を具備しており、このサブ制御基板についても当該サブ制御基板に対応する基板ボックスに収容されて構成されている。
【００３９】
第２制御基板ユニット２０２は、払出制御装置３１１、発射制御装置３１２、電源装置３１３及びカードユニット接続基板３１４を具備している。払出制御装置３１１、発射制御装置３１２及び電源装置３１３は周知の通り制御の中枢をなすＣＰＵや、その他ＲＯＭ、ＲＡＭ、各種ポート等を含む制御基板を具備しており、払出制御装置３１１の払出制御基板により、賞品球や貸出球の払出が制御される。また、発射制御装置３１２の発射制御基板により、遊技者によるハンドル１８の操作に従い発射装置等の制御が行われ、電源装置３１３の電源基板により、各種制御装置等で要する所定の電源電圧が生成され出力される。
【００４０】
上記払出制御装置３１１、発射制御装置３１２及び電源装置３１３についても、それぞれに対応する基板ボックス３１５、３１６、３１７に収容されて構成されている。但し、発射制御装置３１２（基板ボックス３１６）は、電源装置３１３（基板ボックス３１７）の裏側に配置されている。また、払出制御装置３１１が収容される基板ボックス３１５には、前述した主制御装置２６１と同様に封印ユニットが設けられ、基板ボックス３１５の開封した痕跡が残るようになっている。
【００４１】
払出制御装置３１１には状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００４２】
また、電源装置３１３にはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技場の営業終了時に）電源遮断すると電源遮断前の状態が記憶保持されることから、電源投入時に初期状態に戻したい場合には、ＲＡＭ消去スイッチ３２３を押しながら電源を投入する。
【００４３】
次に、裏パックユニット２０３の構成を説明する。裏パックユニット２０３は、樹脂成形された裏パック３５１と遊技球の払出機構部３５２とを一体化したものである。
【００４４】
裏パック３５１は例えばＡＢＳ樹脂により一体成形されており、パチンコ機後方に突出し略直方体形状をなす保護カバー部３５４を有する。保護カバー部３５４は左右側面及び上面が閉鎖され且つ下面のみが開放された形状をなし、少なくとも可変表示装置ユニット３５を囲むのに十分な大きさを有する。但し、本実施形態では、前述のサブ制御装置２６２及び主制御装置２６１の一部も合わせて囲む構成となっている。
【００４５】
また、払出機構部３５２は、保護カバー部３５４を迂回するようにして配設されている。すなわち、保護カバー部３５４の上方には、上側に開口したタンク３５５が設けられており、このタンク３５５には遊技場の島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。また、ケースレール３５７の最下流部には払出手段としての払出装置３５８が設けられており、賞球や貸球の発生に対応した数分の遊技球の払出が適宜行われる。そして、払出装置３５８より払い出された遊技球は上記上皿１９等に供給される。また、タンクレール３５６には、当該タンクレール３５６に振動を付加するバイブレータ３６０が取り付けられており、仮にタンクレール３５６付近で球詰まりが生じた際、バイブレータ３６０が駆動されることで球詰まりの解消が図られる。
【００４６】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００４７】
尚、本実施形態では、内枠１２は外枠１１に対し施錠され、前面枠セット１４及び裏パックユニット２０３は内枠１２に対し施錠される。これらの施錠機構は単一の施錠装置６００によって具現化されており、内枠１２の右側辺部（図６左側）に沿って取付けられている。施錠装置６００は、前面枠セット１４の前面側に露出するシリンダ錠７００（図１等参照）を備えており、該シリンダ錠７００の鍵穴に鍵を挿入し、一方側に回動操作することで内枠１２を解錠でき、他方側に回動操作することで前面枠セット１４及び裏パックユニット２０３を解錠できるようになっている。尚、裏パックユニット２０３の施錠機構を省略することとしてもよい。
【００４８】
さて、本実施形態では払出装置３５８に特徴を有している。ここで、払出装置３５８について図１５〜図２１を参照しつつ詳細に説明する。図１５は払出装置３５８を背面左側から見たときの斜視図であり、図１６は蓋部材４４４を外した状態における払出装置３５８の正面図であり、図１７は払出装置３５８の左側面図であり、図１８は払出装置３５８の下面図である。また、図１９は蓋部材４４４を外した状態における払出装置３５８の斜視図であり、図２０は払出装置３５８を背面側から見たときの分解斜視図であり、図２１は前面側から見たときの分解斜視図である。
【００４９】
払出装置３５８はパチンコ機１０の外部からタンク３５５に補給された遊技球を、必要個数だけ上皿１９（上皿１９が満タンの場合には下皿１５）に払い出すためのものである。従って、払出装置３５８は、図１６、図１９等に示すように、遊技球をタンク３５５から上皿１９又は下皿１５へと案内するための案内通路の一部を構成する球通路４０１と、当該球通路４０１に配設され、遊技球の流下を制止可能に構成されるとともに、回転することで遊技球を１つずつ下流側へと流下させることのできる制止部材としてのスプロケット４０２とを備えている。さらに、図２０等に示すように、払出制御装置３１１により駆動制御され、駆動することでスプロケット４０２を回転させる駆動手段としての払出モータ４０３と、払出モータ４０３の駆動に伴って払出される遊技球を検出する払出検出手段としての払出検出スイッチ４０４とを備えている。
【００５０】
図１６に示すように、球通路４０１は、タンク３５５、タンクレール３５６、及びケースレール３５７（図６参照）を経由してきた遊技球を払出装置３５８の内部へと導入する導入部４１１と、導入部４１１の下流側に位置し、スプロケット４０２が配設された送り部４１２と、送り部４１２の下流側に位置し、球受け皿としての上皿１９又は下皿１５へと通じる図示しない排出路に連通する導出部４１３とから構成されている。本実施形態では、タンクレール３５６及びケースレール３５７は、遊技球が１列で流下する案内通路を２本（２径路）有している。これに対応して、導入部４１１においても案内通路が２本あり、遊技球を２経路でスプロケット４０２へと導く（図１９等参照）。また、詳しくは後述するが、導入部４１１の各案内通路に位置する遊技球は、スプロケット４０２が回転することで、１つずつ交互に導出部４１３へと移送される。導出部４１３に送られた遊技球は、自重により導出部４１３及び図示しない排出路を流下して上皿１９又は下皿１５に払出されることとなる。また、本実施形態では、導出部４１３において案内通路が１本にまとめられている。
【００５１】
払出モータ４０３は、４相の励磁相を有するステッピングモータによって構成され、スプロケット４０２を回転させるための駆動力を付与する駆動手段を構成する。払出モータ４０３には、払出制御装置３１１から出力されるパルス信号が入力され、その入力信号に応じて内蔵されたロータが一定角度ずつ回動する。このロータの回動トルクは、モータケース４０３ａ（図２０、図２１参照）内の図示しないギアを介して出力軸４０３ｂの回転として出力され、その出力軸４０３ｂに取着されるスプロケット４０２が回転する。本実施形態では、出力軸４０３ｂが伝達手段を構成する。
【００５２】
図２０、図２１等に示すように、スプロケット４０２は、一対の回転板４２１ａ、４２１ｂと、当該一対の回転板４２１ａ、４２１ｂの中心部同士を相互に連結する連結軸４２２と、連結軸４２２の一端部が延長されることで形成され、払出モータ４０３の出力軸４０３ｂに取着される伝達部４２３とを備えている。尚、説明の便宜上、払出モータ４０３から離れている側の回転板を第１回転板４２１ａと称し、払出モータ４０３側の回転板を第２回転板４２１ｂと称する。
【００５３】
伝達部４２３は断面略Ｄ字状の軸孔を有し、払出モータ４０３の出力軸４０３ｂの先端部位も伝達部４２３の軸孔形状に一致した形状となっている。このため、より確実に伝達部４２３の軸孔と出力軸４０３ｂとが係合して、払出モータ４０３の回動トルクがスプロケット４０２に伝達される。
【００５４】
一対の回転板４２１ａ、４２１ｂは、導入部４１１の各案内通路の下流部に対応して配設されており、導入部４１１の各案内通路に流入した遊技球を受け止めて制止する（遊技球の流下をせき止める）とともに、回動することによって受け止めた遊技球を下流側の導出部４１３へと搬送する機能を有する。
【００５５】
より詳しく説明すると、図１６、図２０等に示すように、回転板４２１ａ、４２１ｂは、円形の板状体の外周部のうち板状体の中心に対して互いに対向する部位をそれぞれ略円弧状（略Ｓ字）に切欠いたような点対称形状をなしている。このため、回転板４２１ａ、４２１ｂには、外周に沿って、回転板４２１ａ、４２１ｂの中心側に凹む一対の移送凹部４２５と、一対の移送凹部４２５同士の間の部位である一般外周部４２６とが形成されている。
【００５６】
本実施形態では、球通路４０１の送り部４１２を構成する壁部（後述する通路ブロック４４２の中間部４６２、ベース板４４１の案内リブ４５６、蓋部材４４４の案内リブ４９７）と一般外周部４２６との間には、遊技球の流下可能なスペースがなく、その一方で、送り部４１２を構成する壁部と移送凹部４２５との間には、１つの遊技球を位置させることができるだけのスペースが確保されている。そして、遊技球が回転板４２１ａ、４２１ｂの移送凹部４２５に収容されるとともに、スプロケット４０２が図１６の時計回り方向に回転することで、遊技球は送り部４１２を通過し、導出部４１３へと送り出される。本実施形態では、所定の遊技球が移送凹部４２５に収容されてから、スプロケット４０２が約９０度回転することで、前記所定の遊技球が自重により移送凹部４２５から抜け出して、導出部４１３を流下することとなる。以上のようにして、上皿１９（下皿１５）へと至る案内通路の途中で遊技球の流下をせき止めるとともに、必要に応じて遊技球を払い出すことのできる機構を構成することができる。
【００５７】
また、一対の回転板４２１ａ、４２１ｂは略同一形状ではあるが、その長手方向（移送凹部４２５の形成位置）が連結軸４２２回りに９０度ずれている。このように第１回転板４２１ａと第２回転板４２１ｂとが９０度ずれることで、導出部４１３に１球ずつ遊技球が送られることとなる。つまり、案内通路が１本しかない導出部４１３に対して遊技球が２つ同時に供給されることがなくなり、球詰まりの発生を抑止することができる。
【００５８】
図２０等に示すように、払出検出スイッチ４０４は、遊技球が１球ずつ通過可能な大きさのスイッチ開口部４０４ａを有し、そのスイッチ開口部４０４ａ内を通過する遊技球との磁気的相互作用により遊技球を検出する近接センサで構成されている。また、図１６に示すように、払出検出スイッチ４０４は、導出部４１３に配設されている。上記のように、本実施形態では、導出部４１３において案内通路が１本にまとめられているため、１つの払出検出スイッチ４０４によって払出される全ての遊技球を検出することができる。尚、払出検出スイッチ４０４は必ずしも近接センサである必要がなく、フォトセンサ等別のセンサを採用してもよい。
【００５９】
また、図２０、図２１等に示すように、払出装置３５８は、払出検出スイッチ４０４及び払出モータ４０３と払出制御装置３１１との電気的な接続を中継する装置用中継基板４０６を備えている。より詳しくは、払出検出スイッチ４０４と装置用中継基板４０６とが検出用ハーネス４３１によって電気的に接続され、払出モータ４０３と装置用中継基板４０６とが駆動用ハーネス４３２によって電気的に接続されている。また、本実施形態では、制御用ハーネス４３３によって装置用中継基板４０６が払出制御装置３１１と電気的に接続されている（尚、実際には装置用中継基板４０６と払出制御装置３１１との間に払出中継基板３８１が介在する）。つまり、装置用中継基板４０６から出力される払出検出スイッチ４０４からの信号を払出制御装置３１１へ入力するための信号線と、払出制御装置３１１から出力される払出モータ４０３を制御するための信号を装置用中継基板４０６へ入力するための信号線とが制御用ハーネス４３３として１つにまとめられ、１つのコネクタによって装置用中継基板４０６に接続されている。
【００６０】
ちなみに、検出用ハーネス４３１は、払出検出スイッチ４０４及び装置用中継基板４０６の受側コネクタ４３５、４３７に接続される２つの差込側コネクタ４３１ａ，４３１ｂと２本の信号線とを備えるものであり、駆動用ハーネス４３２は、払出モータ４０３及び装置用中継基板４０６の受側コネクタ４３６、４３８に接続される２つの差込側コネクタ４３２ａ，４３２ｂと４本の信号線とを備えるものであり、制御用ハーネス４３３は、払出制御装置３１１の受側コネクタ（図示略）及び装置用中継基板４０６の受側コネクタ４３９に接続される２つの差込側コネクタ４３３ａ，４３３ｂと６本の信号線とを備えるものである。尚、信号線はいずれも同じ色である。
【００６１】
尚、本実施形態では、検出用ハーネス４３１及び受側コネクタ４３５、４３７が検出用電気的接続手段を構成し、駆動用ハーネス４３２及び受側コネクタ４３６、４３８が駆動用電気的接続手段を構成する。また、払出制御装置３１１と払出中継基板３８１とを電気的に接続するハーネス（制御用ハーネス）と、払出中継基板３８１と、払出中継基板３８１と装置用中継基板４０６とを電気的に接続するハーネス（制御用ハーネス４３３）と、装置用中継基板４０６と、検出用ハーネス４３１及び駆動用ハーネス４３２とによって電気的接続手段を構成する。さらに、払出検出スイッチ４０４の受側コネクタ４３５が検出用接続部を構成し、当該受側コネクタ４３５に接続される検出用ハーネス４３１の差込側コネクタ４３１ａが電気的接続手段の接続端子部を構成する。加えて、払出モータ４０３の受側コネクタ４３６が駆動用接続部を構成し、当該受側コネクタ４３６に接続される駆動用ハーネス４３２の差込側コネクタ４３２ａが電気的接続手段の接続端子部を構成する。また、制御用ハーネス４３３のうち装置用中継基板４０６に接続される差込側コネクタ４３３ａが共通コネクタを構成する。
【００６２】
次に、球通路４０１を構成したり、払出モータ４０３や払出検出スイッチ４０４等を取着したりする払出装置３５８の本体構成について説明する。
【００６３】
図１９、図２０等に示すように、払出装置３５８は、背面側に払出モータ４０３が固定されるベース板４４１（ベース部材）と、ベース板４４１の前面側に固定されて球通路４０１の右壁部を構成する通路ブロック４４２と、ベース板４４１の左側に固定されて球通路４０１の左壁部等を構成するカバーパネル４４３と、通路ブロック４４２及びカバーパネル４４３の前側に固定されて球通路４０１の前壁部を構成する蓋部材４４４とを備えている。
【００６４】
図２０等に示すように、ベース板４４１は、上下に長い略長方形状をなしており、黒色の導電性ポリカーボネート樹脂により構成されている。ベース板４４１のほぼ中央部には、払出モータ４０３の出力軸４０３ｂが挿通される軸孔４５１が形成されている。また、軸孔４５１を中心とした対称位置に一対のモータ取付穴４５２ａが設けられており、払出モータ４０３が取付けられたモータケース４０３ａのモータ孔４５２ｂと位置合わせされ、ねじ固定される。これにより、払出モータ４０３がベース板４４１の背面側に取付けられる。尚、モータ取付穴４５２ａはベース板４４１の背面側に開口する有底状のボス穴として構成されており、ベース板４４１の前面側からではモータ孔４５２ｂ及びモータ取付穴４５２ａに螺着されたねじへの接触が不可能とされる。
【００６５】
ベース板４４１を背面側（図２０側）から見て右下の部位には、ベース板４４１の背面から後方に突出形成され、装置用中継基板４０６の前辺部を嵌合する略枠状の係止部４５３が設けられている。また、ベース板４４１を背面側から見て左下の部位には、前後に貫通し、払出検出スイッチ４０４を挿通可能な挿通孔４５４が形成されている。本実施形態では、払出検出スイッチ４０４のうちスイッチ開口部４０４ａが設けられた部位は、上記の通り導出部４１３に配置されるが、受側コネクタ４３５が設けられたコネクタ部は、挿通孔４５４を介してベース板４４１の背面側に位置することとなる。また、挿通孔４５４に挿通された払出検出スイッチ４０４と挿通孔４５４の周縁部との間にはほとんど隙間がなく、挿通孔４５４に挿通された状態の払出検出スイッチ４０４は、挿通孔４５４の周縁部によって、挿通孔４５４の外周方向（本例では挿通孔４５４が前後に貫通するため上下左右方向）への移動が規制される。加えて、挿通孔４５４の下縁部には、後方に向けて延び、先端部が上方に折り返された鉤状の位置決め突起４５５が設けられている。当該位置決め突起４５５の先端部は、挿通孔４５４に挿通された払出検出スイッチ４０４の後端部と当接可能に構成されており、払出検出スイッチ４０４の後方への移動を規制している。本実施形態では、位置決め突起４５５が支持手段を構成する。
【００６６】
ベース板４４１の前面には、図１６、図２１に示すように、球通路４０１の送り部４１２及び導出部４１３の後壁部を構成する案内リブ４５６が突設されている。案内リブ４５６は、球通路４０１の下流側に向けて次第に突出長が大きくなっており、第２回転板４２１ｂから送り出された遊技球を導出部４１３の中央側へと案内する機能を有する。但し、案内リブ４５６には、前記挿通孔４５４に対応する部位において、払出検出スイッチ４０４を挿通させるための隙間部４５６ａが形成されている（図２１参照）。また、ベース板４４１の前面には、軸孔４５１を囲む円筒状の傾き防止部４５８が設けられ、傾き防止部４５８には、払出モータ４０３の出力軸４０３ｂに接続されたスプロケット４０２の伝達部４２３が挿入される。
【００６７】
通路ブロック４４２は、球通路４０１の導入部４１１の右壁部を構成する上部４６１と、送り部４１２の右壁部を構成する中間部４６２と、導出部４１３の右壁部を構成する下部４６３とを備え、黒色の導電性ポリカーボネート樹脂により構成されている。図２０に示すように、上部４６１及び下部４６３の後縁部にはブロック留穴４６４ａを有するねじ固定部４６４が設けられており、ベース板４４１に形成されたねじ孔４６４ｂと位置合わせして、ベース板４４１の背面側からねじ固定することにより、通路ブロック４４２がベース板４４１に取付けられる。加えて、通路ブロック４４２の取付けに際しては、通路ブロック４４２の上部４６１から後方に突出する凸部４６６ａがベース板４４１に形成された係合孔４６６ｂに係合するとともに、通路ブロック４４２の下部４６３が、ベース板４４１の前面右下部に形成されたコ字状の支持突起４６７（図２１参照）に嵌合することとなり、ベース板４４１と通路ブロック４４２との位置決めが行われる。尚、ねじ固定部４６４は、通路ブロック４４２の取付状態においてベース板４４１の前面と密接するため、球通路４０１側からでは、ねじ固定部４６４に螺着されるねじへの接触が不可能とされる。
【００６８】
また、導入部４１１において２本の案内通路を形成するべく、上部４６１の左面から延出し、導入部４１１を前後に二分する仕切り板４６８が設けられている。さらに、下部４６３には、右側に凹むガイド凹部４６９（図１６、図２０参照）が形成されており、かかるガイド凹部４６９の内側に払出検出スイッチ４０４の右辺部が挿通され、支持される。
【００６９】
図１５、図１７、図２０等に示すように、カバーパネル４４３は、基本的に１つの板状体として構成されるが、機能的に見ると、ベース板４４１の前方に位置して球通路４０１の左壁部を構成する通路対応部４７１と、通路対応部４７１の後端部から前記ベース板４４１の背面側に固定された払出モータ４０３よりも後方にまで延びるカバー対応部４７２とに分けることができる。以下、カバーパネル４４３について説明するが、便宜上、カバー対応部４７２を先に説明し、後で通路対応部４７１を説明する。尚、カバーパネル４４３は、透明なポリカーボネート樹脂により構成されているため、払出装置３５８の左側面からカバーパネル４４３を介して球通路４０１の内部や払出モータ４０３等を視認することができる。
【００７０】
カバー対応部４７２は、垂線方向が左右方向となる平板状のパネル本体４７３と、パネル本体４７３の上縁部及び後縁部（図１７では左側）から右側（図１７では奥側）に延びる枠部４７４と、パネル本体４７３の下縁部に設けられた段差形成部４７５とを備えている。段差形成部４７５は、パネル本体４７３の下縁部から右側に延びる延出部４７５ａと、延出部４７５ａの先端から下方に延びる下板状部４７５ｂとを備える。尚、当該段差形成部４７５は、カバー対応部４７２のみならず、通路対応部４７１にも設けられている。
【００７１】
また、カバー対応部４７２と通路対応部４７１との境界部に沿ってパネル本体４７３から右側に延びる境界リブ４７７が設けられている。ベース板４４１とカバーパネル４４３との取付けに際しては、境界リブ４７７の後面をベース板４４１の前面と当接させるとともに、ベース板４４１の左辺部を、枠部４７４のうちパネル本体４７３上縁部に対応する部位と段差形成部４７５の延出部４７５ａとの間に嵌合してパネル本体４７３の右面と当接させる（図１７参照）。
【００７２】
さらに、ベース板４４１の左辺部から突出するベース凸部４７８ｂに対応する位置には、当該ベース凸部４７８ｂを挿入可能なスリット部４７８ａが形成されている。また、パネル本体４７３には、スリット部４７８ａの下方において開口部４７９ａが設けられるとともに、該開口部４７９ａの後縁部から前方に延び、先端部が右方（払出モータ４０３側）に折り返されたベース押え部４７９ｂが設けられている。加えて、境界リブ４７７には、ベース押さえ部４７９ｂの下方において、後方に突出する嵌合凸部４８０ａ（図２０参照）が形成されている。
【００７３】
そして、ベース板４４１とカバーパネル４４３との取付けに際し、上記のように、境界リブ４７７の後面とベース板４４１の前面とを当接させることで、ベース押え部４７９ｂの先端部がベース板４４１の背面と当接して支持するとともに、嵌合凸部４８０ａがベース板４４１に形成された係止孔４８０ｂ（図２１参照）に嵌合する。これにより、ベース板４４１とカバーパネル４４３との位置決めが確実に行われ、両者が位置ずれしてしまうといったおそれを防止している。
【００７４】
また、図２０に示すように、カバー対応部４７２の上部には、右側に突出するボス４８１が設けられている。上記のようにカバーパネル４４３とベース板４４１との位置決めが行われた状態においては、ボス４８１の先端部が、ベース板４４１の背面に突設された取付片４８２に略当接するとともに、ボス４８１のボス穴４８１ａが取付片４８２に形成されたパネル留孔４８２ａと合致する。そして、パネル留孔４８２ａ及びボス穴４８１ａを右側からねじ固定することで、カバーパネル４４３がベース板４４１に取付けられる。本実施形態では、カバーパネル４４３をベース板４４１に取付けるためのねじが取付手段、取着手段、固着手段を構成する。
【００７５】
加えて、パネル本体４７３には、後端縁の下部から右側に向けて延び、先端部が前側に折り返された支持鉤部４８３が設けられている。そして、カバーパネル４４３をベース板４４１に取付け、さらに、ベース板４４１の係止部４５３に装置用中継基板４０６の前辺部を嵌め込むと、段差形成部４７５の下板状部４７５ｂの右面に装置用中継基板４０６の裏面（受側コネクタ４３７，４３８，４３９が設けられていない方の面）が当接するとともに、支持鉤部４８３の先端部が装置用中継基板４０６の後端部を係止することとなる。さらに、下板状部４７５ｂには、装置用中継基板４０６の下面と略当接する位置において右方に突出する抜け止め突起４８４が設けられている。当該抜け止め突起４８４の存在により、装置用中継基板４０６の下方への移動が規制される。
【００７６】
通路対応部４７１は、導入部４１１の左壁部を構成する上板状部４８５と、送り部４１２に配設されたスプロケット４０２や導出部４１３の左方を覆う下板状部４８６とを備えている。上板状部４８５は、境界リブ４７７の先端部（右端部）から前方に延びており、下板状部４８６は、カバー対応部４７２のパネル本体４７３の前縁部から前方に延びている。また、通路対応部４７１は、上板状部４８５と下板状部４８６とを連結する連結板部４８７（図１５、図１７参照）と、上板状部４８５、連結板部４８７、及び下板状部４８６の前方を覆う前板部４８８（図２１参照）と、下板状部４８６から右方に突出する台座部４８９（図１６、図２１参照）とを備えている。
【００７７】
上板状部４８５には、通路ブロック４４２の仕切り板４６８の先端部（左辺部）に突設された係止凸部４９０ｂを係止する係止孔４９０ａ（図１７、図２１参照）が形成されている。また、上記のように、下板状部４８６の下縁部には、パネル本体４７３の下縁部から一続きで形成されている段差形成部４７５（図１７、図２０参照）が設けられている。
【００７８】
図１６、図２０、図２１、図２２等に示すように、台座部４８９は、下板状部４８６から右方に延びる略四角柱状の台座本体４９１と、台座本体４９１の上面後部から上方に突出する上突部４９２とを備えている。図１６に示すように、上突部４９２は、スプロケット４０２の連結軸４２２の下側において、一対の回転板４２１ａ、４２１ｂの間に位置している。本実施形態では、台座部４８９（台座部４８９の右辺部）によって導出部４１３の左壁部が構成されており、一対の回転板４２１ａ、４２１ｂの間に遊技球が入り込まないようになっている。
【００７９】
さらに、本実施形態では、第２回転板４２１ｂは、どの停止角度であっても、連結軸４２２（出力軸４０３ｂ）の延在方向でもある前後方向において、少なくとも一部が台座部４８９と重なる構成となっている。従って、ベース板４４１にカバーパネル４４３を取付けた状態では、スプロケット４０２を前方に引っ張っても、第２回転板４２１ｂが台座部４８９に当接し、スプロケット４０２の前方への移動が規制されるため、スプロケット４０２が取外不可能とされる。
【００８０】
また、台座本体４９１の右面には、左方に凹むガイド凹部４９３が形成されており、かかるガイド凹部４９３の内側に払出検出スイッチ４０４の左端部が挿通され、支持される。ガイド凹部４９３は、台座本体４９１の後端部から前方に向けて延設されているが、本実施形態では、ガイド凹部４９３は台座本体４９１の前端部にまでは形成されておらず、ガイド凹部４９３の先端部は台座本体４９１の前端部よりも後方に位置する。従って、台座本体４９１には、ガイド凹部４９３の前方において、ガイド凹部４９３に挿通された払出検出スイッチ４０４の前端部が略当接状態とされる規制壁部４９４が形成されることとなる。従って、ベース板４４１にカバーパネル４４３を取付けた状態では、払出検出スイッチ４０４を前方に引っ張っても、払出検出スイッチ４０４が規制壁部４９４に当接し、払出検出スイッチ４０４の前方への移動が規制されるため、払出検出スイッチ４０４が取外不可能とされる。
【００８１】
尚、本実施形態では、台座部４８９が規制手段を構成する。より詳しくは、上突部４９２がスプロケット４０２（制止部材）の抜け（取外し方向への移動）を規制するための規制手段（第２の規制手段）に相当し、規制壁部４９４が払出検出スイッチ４０４（払出検出手段）の抜けを規制するための規制手段（第１の規制手段）に相当する。また、台座部４８９が一体的に設けられるカバーパネル４４３が壁部構成体及び第１カバー部材を構成する。
【００８２】
蓋部材４４４は、黒色の導電性ポリカーボネート樹脂により構成され、通路ブロック４４２の前辺部とカバーパネル４４３の前辺部との間の開口を閉塞する板状の部材である。図２０に示すように、蓋部材４４４の背面には、通路ブロック４４２の前辺部やカバーパネル４４３の通路対応部４７１の前板部４８８に設けられた位置決め用の凸部や段差部に対応した凹部や段差部が形成されている。また、図１９に示すように、蓋部材４４４には、通路ブロック４４２の下部４６３、カバーパネル４４３の前板部４８８、及び台座部４８９（台座本体４９１）にそれぞれ設けられた蓋穴４９５に対応する位置に蓋固定用孔４９６が形成されている。そして、蓋穴４９５と蓋固定用孔４９６とが位置合わせされ、前方からねじ固定されることで、蓋部材４４４が払出装置３５８（通路ブロック４４２及びカバーパネル４４３）に取付けられる。
【００８３】
尚、蓋部材４４４を取付けるためのねじの十字穴は、払出装置３５８の取付状態において、払出装置３５８と樹脂ベース３８との間に挟まれているため、払出装置３５８を内枠１２から取外さない限り、蓋部材４４４を取外すことはできなくなっている。
【００８４】
また、蓋部材４４４の背面には、ベース板４４１の案内リブ４５６と対向して、球通路４０１の送り部４１２及び導出部４１３の前壁部を構成する案内リブ４９７（図２０参照）が突設されている。案内リブ４９７は、球通路４０１の下流側に向けて次第に突出長が大きくなっており、当該案内リブ４９７によって、第１回転板４２１ａから送り出された遊技球が導出部４１３の中央側へと案内される。また、案内リブ４９７の下部にはコ字状の切欠き部４９７ａが形成されており、払出検出スイッチ４０４の前端部が嵌め込まれて支持される。
【００８５】
加えて、図２０等に示すように、スプロケット４０２の連結軸４２２には断面円形状の軸孔が形成されており、当該軸孔に対して円柱状のシャフト４９８ａが挿通される。さらに、シャフト４９８ａの前端部は、蓋部材４４４の背面側に形成された支持凹部４９９に挿入されて支持されるようになっている。これにより、スプロケット４０２の回転の安定化が図られている。尚、シャフト４９８ａの径は、連結軸４２２の軸孔の内径よりも一回り小さく構成されており、シャフト４９８ａは連結軸４２２の軸孔に挿通された状態において自由に回転可能となっている。また、シャフト４９８ａは支持凹部４９９に直接支持されるわけではなく、シャフト４９８ａの前端部に嵌められる円筒状のベアリング４９８ｂを介して支持される。これにより、支持凹部４９９がシャフト４９８ａを直接支持する場合に比べ、支持凹部４９９の周壁部が削れにくくなる。また、スプロケット４０２とベアリング４９８ｂとの間にはワッシャー４９８ｃが介在しており、スプロケット４０２とベアリング４９８ｂとが擦れて削れてしまうといった事態を抑制している。
【００８６】
また、図１５、図２０等に示すように、払出装置３５８は、ベース板４４１の右上部及びカバーパネル４４３の段差形成部４７５において、当該払出装置３５８を内枠１２（樹脂ベース３８）に取付けるための取付部５００を備えている。そして、ケースレール３５７の下方に設けられた設置スペースに嵌め込み、取付部５００に形成された取付孔５００ａを内枠１２側の孔部と位置合わせしてねじ固定することで、払出装置３５８が内枠１２に取付けられる。これにより、タンク３５５から上皿１９又は下皿１５へと至る案内通路が連通される。
【００８７】
さて、本実施形態では、ベース板４４１の背面側に設けられた払出モータ４０３等の部材を覆うカバー部材７０１が設けられている。尚、本実施形態では、カバー部材７０１及びカバーパネル４４３（カバー対応部４７２）によりカバー手段を構成する。また、カバーパネル４４３が第１カバー部材を構成し、カバー部材７０１が第２カバー部材を構成する。
【００８８】
カバー部材７０１は、ベース板４４１の背面と対向する縦板部７０３と、縦板部７０３の上縁部から前方に延びる上板部７０４と、縦板部７０３の下縁部から前方に延びる下板部７０５と、縦板部７０３の右縁部から前方に延びる右板部７０６とからなり、前方及び左方に開口する箱状をなしている。また、カバー部材７０１は、透明な合成樹脂（例えばポリカーボネート）により構成されており、カバー部材７０１の内部に収容される払出モータ４０３等の各部材を外部から視認可能となっている。
【００８９】
縦板部７０３は、左端縁から左方（カバーパネル４４３側）に突出する上下一対の係止爪７１１ａを備えている（図２０参照）。当該係止爪７１１ａは、取付けに際し、カバーパネル４４３のパネル本体４７３の後端部に形成された上下一対の係止孔７１１ｂにそれぞれ係止される。また、カバー部材７０１の取付けに際しては、右板部７０６に設けられた留め孔７１２ａに対して、ベース板４４１から後方に突出し、先端が右方に折り返された留め部７１２ｂの先端部が係止される。このように、係止爪７１１ａを係止孔７１１ｂに係止するとともに、留め部７１２ｂを留め孔７１２ａに係止することで、カバーパネル４４３及びベース板４４１に対してカバー部材７０１が位置決めされる。尚、カバーパネル４４３には、一対の係止孔７１１ｂの間において、縦板部７０３の前面を支持する支持凸部７１３が設けられているため、縦板部７０３が前方に押されることに起因して、係止爪７１１ａが破損したり、縦板部７０３とカバーパネル４４３との間に隙間が形成されてしまったりするといった事態を抑止することができる。
【００９０】
さらに、図２０に示すように、縦板部７０３は、縦板部７０３の背面側からねじを挿入可能な有底状のカバー取付穴部７２１を有しており、その底面にはねじ孔（図示略）が形成されている。そして、上記のように、カバーパネル４４３及びベース板４４１に対してカバー部材７０１が位置決めされた状態においては、カバー取付穴部７２１の底面が、ベース板４４１から後方に突設されたカバー取付ボス７２２の先端部と略当接するとともに、カバー取付ボス７２２のボス穴と、カバー取付穴部７２１のねじ孔とが合致するようになっている。そして、縦板部７０３の背面側からカバー取付穴部７２１にねじを挿入し、ねじ孔及びボス穴をねじ固定することで、カバー部材７０１がベース板４４１に取付けられる。
【００９１】
特に、本実施形態では、カバー部材７０１の取付けには、ドライバー（工具）の先端と係合する十字穴７３２（工具係合部）を取り除くことのできる破断ねじ７３１（固定手段）を使用する。より詳しくは、破断ねじ７３１は、ねじ山（図示略）が形成されたねじ本体７３３と、ねじ本体７３３の一端部に設けられた拡径部７３４とを備えている。拡径部７３４には、先端部において十字穴７３２が形成されるとともに、破断ねじ７３１の長手方向における中間部位において縮径部（くびれ部７３５）が形成されている。そして、破断ねじ７３１をカバー取付ボス７２２のボス穴とカバー取付穴部７２１のねじ孔とに螺着した後、さらに十字穴７３２に対して力を加えることによって、拡径部７３４のくびれ部７３５を破断し、十字穴７３２が形成された先端部位７３６を取り除く。
【００９２】
また、取付状態にある破断ねじ７３１は、カバー取付穴部７２１の内側に位置して、カバー部材７０１の縦板部７０３の背面よりもカバー領域内側に没入した状態となる。さらに、破断ねじ７３１の拡径部７３４の外径とカバー取付穴部７２１の内径とがほぼ同じになっており、拡径部７３４とカバー取付穴部７２１の内周壁部との間にはほとんど隙間がなくなっている。
【００９３】
カバー部材７０１の取付後においては、カバー部材７０１の左端縁とカバーパネル４４３の枠部４７４の先端部とが突き合わされ、カバー部材７０１の前端縁とベース板４４１の周縁部とが突き合わされる。これにより、カバー部材７０１とカバーパネル４４３及びベース板４４１との間にはほとんど隙間がなくなる。従って、ベース板４４１の背面側であって、カバー部材７０１及びカバーパネル４４３（カバー対応部４７２）によって覆われた領域（カバー領域）に収容された各部材への接触が困難又は不可能とされる。但し、図１８に示すように、カバー部材７０１の下板部７０５の右辺部と、カバーパネル４４３との間には、装置用中継基板４０６の受側コネクタ４３９に対して、払出制御装置３１１と電気的に接続された制御用ハーネス４３３の差込側コネクタ４３３ｂを接続するための接続用開口部７４１が形成されている。尚、カバー領域には、払出モータ４０３、払出検出スイッチ４０４のコネクタ部（受側コネクタ４３５が設けられた部位）、駆動用ハーネス４３２、検出用ハーネス４３１、及び装置用中継基板４０６が収容されている。また、カバーパネル４４３をベース板４４１に取付けるためのねじ（十字穴）や、通路ブロック４４２をベース板４４１に取付けるためのねじ（十字穴）についてもカバー領域に収容されている。
【００９４】
加えて、縦板部７０３の前面には、装置用中継基板４０６の上辺部及び右面に当接可能な位置においてずれ止め凸部（図示略）が設けられている。これにより、装置用中継基板４０６が上方や右方に傾いてしまうといった事態を防止している。また、カバー部材７０１には放熱用の孔部が複数形成されているが、これらの孔部はいずれも小さく、当該孔部を介して、カバー領域に配設された各部材に対して何らかの操作を行うことは事実上不可能である。
【００９５】
以上詳述したように、本実施形態では、払出装置３５８には、当該ベース板４４１の背面側を覆うカバー部材７０１が破断ねじ７３１によって取付けられている。破断ねじ７３１は、カバー取付ボス７２２のボス穴とカバー取付穴部７２１のねじ孔とに破断ねじ７３１を螺着した後、十字穴７３２が形成された先端部位７３６が破断ねじ７３１から除去されるため、十字穴７３２にドライバーを係合させて破断ねじ７３１を回すことが不可能となる。さらに、破断ねじ７３１はカバー部材７０１の縦板部７０３の背面よりも没入し、カバー取付穴部７２１と破断ねじ７３１の拡径部７３４との間にはほとんど隙間がないことから、破断ねじ７３１をプライヤー等で挟んで回転させることも不可能である。従って、破断ねじ７３１が取外せなくなるため、カバー部材７０１は、払出装置３５８に対して取外不可能に取付けられている。
【００９６】
さらに、カバーパネル４４３をベース板４４１に取付けるためのねじは、カバー部材７０１が取付けられることで、カバー領域に収容されることとなるため、カバーパネル４４３についても取外不可能となっている。
【００９７】
従って、カバー領域に収容された払出モータ４０３、払出検出スイッチ４０４のコネクタ部（受側コネクタ４３５が設けられた部位）、検出用ハーネス４３１、駆動用ハーネス４３２、及び装置用中継基板４０６のうち検出用ハーネス４３１及び駆動用ハーネス４３２と接続される受側コネクタ４３７、４３８を接触困難又は不可能とすることができる。結果として、不正に前記各種部材への接触を図り、払出装置３５８を誤作動させる等して、不当に遊技球を獲得したり、払出される遊技球を不当に削減したりするといった不正行為の抑制を図ることができる。
【００９８】
また、カバー部材７０１やカバーパネル４４３を取外すためにはカバー部材７０１やカバーパネル４４３やベース板４４１を破断等する必要がある。この場合、元の形態に完全に修復することは不可能であり、痕跡が残る。従って、カバー部材７０１やカバーパネル４４３が不正に取外されたことを把握でき、このことによって、カバー部材７０１やカバーパネル４４３を不正に取外し、払出装置３５８を不正改造するといった行為を抑制することができる。
【００９９】
尚、本実施形態では、装置用中継基板４０６から出力される払出検出スイッチ４０４からの信号を払出制御装置３１１へ入力するための信号線と、払出制御装置３１１から出力される払出モータ４０３を制御するための信号を装置用中継基板４０６へ入力するための信号線とが１つの共通コネクタ（制御用ハーネス４３３の差込側コネクタ４３３ｂ）によって装置用中継基板４０６に接続されている。このため、当該差込側コネクタ４３３ｂが抜けると、払出検出スイッチ４０４から払出制御装置３１１へ送られる信号だけでなく、払出制御装置３１１から払出モータ４０３に送られる信号も断たれることになる。つまり、払出モータ４０３の信号線を接続したまま、払出検出スイッチ４０４の信号線を抜くことで、払出検出スイッチ４０４による遊技球の検出（カウント）を回避しつつ、際限なく払出モータ４０３を駆動させて永続的に遊技球を払出させるといった不正行為を抑制することができる。
【０１００】
さらに、制御用ハーネス４３３の信号線や、当該制御用ハーネス４３３の差込側コネクタ４３３ｂに接続される装置用中継基盤４０６の受側コネクタ４３９に関しては、どれが払出検出スイッチ４０４に対応する信号線又はピンコンタクトであって、どれが払出モータ４０３に対応する信号線又はピンコンタクトであるといった区別がつきにくい。従って、カバー部材７０１の取付後においても、接続用開口部７４１を介して、制御用ハーネス４３３を装置用中継基板４０６に着脱可能な構成であっても、装置用中継基板４０６と払出制御装置３１１との間に不正な基板を介在させる等の不正行為を抑制することができる。尚、払出制御装置３１１及び主制御装置２６１は、所定の痕跡を残さなければ開封することのできない基板ボックス２６３、３１５に収容されているため、払出制御装置３１１及び主制御装置２６１を不正な基板に交換するといった行為を防止することができる。従って、不正対策が払出装置３５８から払出制御装置３１１ひいては主制御装置２６１にまで施されることとなり、払出に関する不正行為をより確実に抑制することができる。
【０１０１】
加えて、制御用ハーネス４３３を装置用中継基盤４０６に接続するだけで、払出制御装置３１１と払出検出スイッチ４０４及び払出モータ４０３とを電気的に接続することができるため、接続作業性の向上を図ることもできる。
【０１０２】
また、本実施形態では、蓋部材４４４は、カバー部材７０１を払出装置３５８に取付けた後においても、払出装置３５８に対して着脱可能である。このため、球通路４０１を開放し、球通路４０１における球詰まりを解消したり、スプロケット４０２のメンテナンスを行ったりすることができる。
【０１０３】
一方、カバー部材７０１及びカバーパネル４４３によって覆われるカバー領域については、ベース板４４１によって球通路４０１から隔離されているため、蓋部材４４を開けたとしても、球通路４０１側からカバー領域内への接触を図ることは不可能である。従って、カバー領域に配設された各種部材を不正に操作すること等によって行われる払出しに関する不正行為を抑制するといった作用効果が確実に奏される。
【０１０４】
さらに、本実施形態では、蓋部材４４４を取外し、球通路４０１を開放したとしても、規制手段を構成する台座部４８９の存在により、払出検出スイッチ４０４及びスプロケット４０２が取外せないようになっている。
【０１０５】
より詳しくは、球通路４０１を開放した状態において払出検出スイッチ４０４を前方に引っ張ったとしても、当該払出検出スイッチ４０４の前端部が規制壁部４９４に当接するため、払出検出スイッチ４０４を挿通孔４５４から抜き出すことができなくなっている。また、球通路４０１を開放した状態においてスプロケット４０２を前方に引っ張ったとしても、当該スプロケット４０２の第２回転板４２１ｂの前面が上突部４９２に当接するため、スプロケット４０２の伝達部４２３を払出モータ４０３の出力軸４０３ｂから抜き取ることができなくなっている。
【０１０６】
しかも、台座部４８９は、上記のように破断ねじ７３１によってカバー部材７０１を取付けることで取外不可能とされるカバーパネル４４３に対して一体的に設けられている。つまり、カバー部材７０１の取付後においては、台座部４８９を取外すことは不可能であり、従って、払出検出スイッチ４０４及びスプロケット４０２が取外不可能とされる。従って、例えば、払出検出スイッチ４０４と払出制御装置３１１との間に不正な基板を介在させたり、正規の払出検出スイッチ４０４に代えて別途用意した不正な払出検出スイッチを取付けたりすることで、払出制御装置３１１に報告する遊技球の払出個数を、実際に払出された遊技球の数よりも少なくしたり、多くしたりするといった不正行為を防止することができる。また、例えば、正規のスプロケット４０２に代えて別途用意した不正なスプロケット（例えば、回転板４２１ａ、４２１ｂの移送凹部４２５の数が上記例より多かったり少なかったりする）を取付け、払出モータ４０３が同じ量だけ駆動したとしても、正規のスプロケット４０２が取付けられている場合に比べて、払出される遊技球を多くしたり、少なくしたりするといった不正行為を防止することができる。結果として、払出装置３５８を不正改造して、不当に遊技球を獲得したり、払出される遊技球を不当に削減したりするといった不正行為の抑制をより確実に図ることができる。
【０１０７】
特に、払出検出スイッチ４０４のうちカバー領域に位置していたコネクタ部（受側コネクタ４３５が設けられた部位）が球通路４０１側に露出してしまうといった事態を防止できることにより、払出検出スイッチ４０４に受側コネクタ４３５を設ける構成であっても、検出用ハーネス４３１の差込側コネクタ４３１ａが受側コネクタ４３５から取外され、両者間に不正な基板をぶら下げられてしまうといったおそれを確実に防止することができる。尚、払出検出スイッチ４０４に受側コネクタ４３５を設けることによって、例えば、払出検出スイッチ４０４からコネクタを介することなく延びる信号線を他の部材と接続するといった場合に比べ、接続作業性の向上や払出検出スイッチ４０４の生産性の向上を図ることができる。
【０１０８】
また、カバー部材７０１を取外不可能に取付けるための手段として破断ねじ７３１を採用していることにより、カバー部材７０１を取外す際には、カバー部材７０１やカバーパネル４４３等に比較的目立つ痕跡が形成されやすい。このため、カバー部材７０１が取外されたことを比較的容易に発見することができる。さらに、カバー部材７０１を取付けるために一般的なねじを採用するとともに、カバー取付穴部７２１に接着剤を充填したり、ねじの十字穴にキャップを被せたりするような場合に比べ、作業性の向上が図られる。
【０１０９】
さらに、ベース板４４１の背面側を覆う部材（カバー手段）が、カバー部材７０１とカバーパネル４４３との２つのパーツで構成されている。これにより、金型構造の複雑化等を防止することができる。また、カバーパネル４４３をベース板４４１に取付けるためのねじ（十字穴を含む）はカバー領域に配置されることで接触不可能とされることから、当該ねじを取外不可能とするべく、カバー部材７０１を取付けるための破断ねじ７３１のようにねじ自身を複雑な構成にする必要がない。このため、一般的なねじを採用することができ、作業性の向上やコストの削減等が図られる。さらに、リサイクルや廃棄の際には、カバー部材７０１を払出装置３５８から離脱させることができれば、普通のねじで固定されているカバーパネル４４３を比較的容易に取外すことができるため、分別作業性の向上が図られる。尚、通路ブロック４４２をベース板４４１に取付けるためのねじについてもカバー領域に配置され、球通路４０１側からでは接触不可能に構成されている。これにより、例えば、通路ブロック４４２を取外し、スプロケット４０２が回動しなくても遊技球が下流側へ流下してしまうような遊技球の経路を形成するといった不正行為等を抑止することができる。
【０１１０】
尚、カバー部材７０１、スプロケット４０２、払出検出スイッチ４０４の取外しができないため、カバー部材７０１、スプロケット４０２、払出検出スイッチ４０４が故障した場合には、払出装置３５８ごと取替えることとなる。本実施形態では、払出装置３５８はユニット化され、内枠１２（樹脂ベース３８）に着脱可能に取付けられているため、比較的簡単に交換作業を行うことができる。
【０１１１】
加えて、カバー部材７０１が透明な素材により構成されることで、カバー部材７０１等が破壊される等して開封されたことや、カバー領域内部において不正が行われたこと等を比較的容易に発見することができる。
【０１１２】
次に、パチンコ機１０の電気的構成について説明する。図７は、本パチンコ機１０の電気的構成を示すブロック図である。パチンコ機１０の主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。
【０１１３】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１１４】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１１５】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、通常処理（図９参照）によって電源切断時に実行され、逆にバックアップエリア５０３ａに書き込まれた各値の復帰は、電源入時（停電解消による電源入を含む。以下同様）のメイン処理（図８参照）において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１１６】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１１７】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、サブ制御装置２６２、特別表示装置４３、普通図柄表示装置４１、その他図示しないスイッチ等が接続されている。この構成により、上述した特別表示装置４３および普通図柄表示装置４１は、主制御装置２６１により直接的に制御される。一方、装飾図柄表示装置４２は、サブ制御装置２６２を介して制御される。
【０１１８】
サブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１１９】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、各種電飾部及びランプ１０２〜１０４が接続されている。
【０１２０】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する特別表示装置４３にて大当たりか否かを表示するようになっており、サブ制御装置２６２が制御する装飾図柄表示装置４２では、前記特別表示装置４３の表示に合わせた表示が行われる。
【０１２１】
また、払出制御装置３１１は、払出モータ４０３を駆動制御し、賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１２２】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１２３】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１２４】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理（図１１参照）によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１２５】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。また、作業エリアには、払出すべき遊技球の球数を記憶する払出個数記憶エリアが設けられている。
【０１２６】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１２７】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、後述するコマンド判定処理（図１３参照）により受信されたコマンドの判定が行われた場合にオフされる。
【０１２８】
コマンドバッファは、主制御装置２６１から送信されるコマンドを一時的に記憶するリングバッファで構成されている。リングバッファは所定の記憶領域を有しており、その記憶領域の始端から終端に至るまで規則性をもってコマンドが記憶され、全ての記憶領域にコマンドが記憶された場合には、記憶領域の始端に戻りコマンドが更新されるよう構成されている。よって、コマンドが記憶された場合及びコマンドが読み出された場合に、コマンドバッファにおける記憶ポインタ及び読出ポインタが更新され、その各ポインタに基づきコマンドの記憶と読み出しとが行われる。
【０１２９】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出モータ４０３、払出検出スイッチ４０４がそれぞれ接続されている。尚、図７では払出中継基板３８１の図示を省略している。
【０１３０】
発射制御装置３１２は、発射装置７０による遊技球の発射を許可又は禁止するものであり、発射装置７０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置７０が駆動され、ハンドル１８の操作量に応じた強度で遊技球が発射される。
【０１３１】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、ＣＰＵ５２１、プログラムＲＯＭ５２２、ワークＲＡＭ５２３、画像コントローラ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１３２】
表示制御装置４５のＣＰＵ５２１は、サブ制御装置２６２から送信される表示コマンドを入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行なう。
【０１３３】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１３４】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１３５】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１３６】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１３７】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１３８】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１３９】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１４０】
次に、主制御装置２６１内のＣＰＵ５０１により実行されるメイン処理の流れを図８のフローチャートを参照しながら説明する。このメイン処理は電源投入時のリセットに伴い起動される。
【０１４１】
先ずはじめに、ステップＳ１０１では、電源投入に伴う初期設定処理を実行する。具体的には、スタックポインタに予め決められた所定値を設定すると共に、サブ側の制御装置（サブ制御装置２６２，払出制御装置３１１等）が動作可能な状態になるのを待つために例えば１秒程度、ウェイト処理を実行する。続くステップＳ１０３では、ＲＡＭアクセスを許可する。
【０１４２】
その後、ＣＰＵ５０１内のＲＡＭ５０３に関してデータバックアップの処理を実行する。つまり、ステップＳ１０４では、電源装置３１３に設けたＲＡＭ消去スイッチ３２３が押下（ＯＮ）されているか否かを判別し、押下されていれば、バックアップデータをクリア（消去）するべく、ステップＳ１１３へ移行する。一方、ＲＡＭ消去スイッチ３２３が押下されていなければ、続くステップＳ１０５で、ＲＡＭ５０３のバックアップエリア５０３ａに電源断の発生情報が設定されているか否かを判別する。ここで、設定されていなければ、バックアップデータは記憶されていないので、この場合もステップＳ１１３へ移行する。バックアップエリア５０３ａに電源断の発生情報が設定されていれば、ステップＳ１０６でＲＡＭ判定値を算出し、続くステップＳ１０７では、そのＲＡＭ判定値が電源断時に保存したＲＡＭ判定値と一致するか否か、すなわちバックアップの有効性を判別する。ここで算出したＲＡＭ判定値が電源断時に保存したＲＡＭ判定値と一致しなければ、バックアップされたデータは破壊されているので、この場合もステップＳ１１３へ移行する。
【０１４３】
ステップＳ１１３の処理では、サブ側の制御装置となるサブ制御装置２６２及び払出制御装置３１１等を初期化するために、初期化コマンドを送信する。その後、ＲＡＭの初期化処理（ステップＳ１１４等）に移行する。なお、ＲＡＭ判定値は、例えばＲＡＭ５０３の作業領域アドレスにおけるチェックサム値である。このＲＡＭ判定値に代えて、ＲＡＭ５０３の所定のエリアに書き込まれたキーワードが正しく保存されているか否かによりバックアップの有効性を判断することも可能である。
【０１４４】
上述したように、本パチンコ機１０では、例えばホールの営業開始時など、電源投入時に初期状態に戻したい場合にはＲＡＭ消去スイッチ３２３を押しながら電源が投入される。従って、ＲＡＭ消去スイッチ３２３がＯＮされていれば、ＲＡＭの初期化処理（ステップＳ１１４等）に移行する。また、電源断の発生情報が設定されていない場合や、ＲＡＭ判定値（チェックサム値等）によりバックアップの異常が確認された場合も同様にＲＡＭ５０３の初期化処理（ステップＳ１１４等）に移行する。つまり、ステップＳ１１４ではＲＡＭ５０３の使用領域を０にクリアし、続くステップＳ１１５ではＲＡＭ５０３の初期値を設定する。その後、ステップＳ１１２で割込み許可を設定し、後述する通常処理に移行する。
【０１４５】
一方、ＲＡＭ消去スイッチ３２３が押されていない場合（ステップＳ１０４：ＮＯ）には、電源断の発生情報が設定されていること、及びＲＡＭ判定値（チェックサム値等）が正常であることを条件に、復電時の処理（電源断復旧時の処理）を実行する。つまり、ステップＳ１０８では、電源断前のスタックポインタを復帰させ、ステップＳ１０９では、電源断の発生情報をクリアする。ステップＳ１１０では、サブ側の制御装置を電源断時の遊技状態に復帰させるコマンドを送信し、ステップＳ１１１では、使用レジスタをＲＡＭ５０３のバックアップエリア５０３ａから復帰させる。その後、ステップＳ１１２で割込み許可を設定し、後述する通常処理に移行する。
【０１４６】
次に、通常処理の流れを図９のフローチャートを参照しながら説明する。この通常処理では遊技の主要な処理が実行される。その概要として、ステップＳ２０１〜Ｓ２１０の処理が４ｍｓｅｃ周期の定期処理として実行され、その残余時間でステップＳ２１１，ステップＳ２１２のカウンタ更新処理が実行される構成となっている。
【０１４７】
先ずステップＳ２０１では、前回の処理で更新された特別表示装置４３や第１契機対応ユニット３３等の設定内容に基づいた制御信号を各装置に送信したり、コマンド等の出力データをサブ側の各制御装置に送信する外部出力処理を実行する。
【０１４８】
例えば、装飾図柄表示装置４２による装飾図柄の変動表示に際して、変動パターンコマンド、図柄コマンド等をサブ制御装置２６２に送信する。つまり、変動パターンコマンドや図柄コマンドは、特別表示装置４３にて行われる表示に合わせた表示演出を装飾図柄表示装置４２にて行わせるためにサブ制御装置２６２に出力されるコマンドであり、本実施形態における指令情報に相当する。従って、この外部出力処理の機能が本実施形態における指令情報出力手段を構成する。これに対し、変動パターンコマンド、図柄コマンド等を入力したサブ制御装置２６２は、かかる各種コマンドに基づいて、装飾図柄表示装置４２の変動態様を決定し、該変動態様を装飾図柄表示装置４２において表示（変動表示）するように表示制御装置４５に対し指示を出す。
【０１４９】
また、サブ制御装置２６２は、図柄コマンドに基づき停止図柄（停止図柄の組合わせ）を決定して、変動時間経過後に表示する。図柄コマンドは、サブ制御装置２６２に停止図柄を決定させるコマンドであり、確変図柄の組合わせ、通常図柄の組合わせ、前後外れ図柄の組合わせ、前後外れ以外図柄の組合わせ、完全外れ図柄の組合わせという５つの区分を指定するものである。一方、サブ制御装置２６２には、これらのコマンドと停止図柄との関係がテーブルで記憶されている。そして、サブ制御装置２６２は、図柄コマンドに対応する停止図柄を表示する。
【０１５０】
図９の説明に戻り、ステップＳ２０２では、変動種別カウンタＣＳ１，ＣＳ２の更新を実行する。より具体的には、他のカウンタと同様に、変動種別カウンタＣＳ１，ＣＳ２を１インクリメントすると共に、それらのカウンタ値が上限値（本実施形態では１９８，２４０）に達した際、それぞれ０にクリアする。そして、変動種別カウンタＣＳ１，ＣＳ２の更新値を、ＲＡＭ５０３の該当するバッファ領域に格納する。
【０１５１】
続くステップＳ２０３では、払出制御装置３１１より受信した賞球計数信号を読み込む。次に、ステップＳ２０４では、払出制御装置３１１より受信した払出異常信号を読み込む。
【０１５２】
その後、ステップＳ２０５では、第１表示制御処理を実行する。この処理では、特別表示装置４３においてどのような制御を行うか当該特別表示装置４３の制御内容の設定が行われると共に、大当たり判定や装飾図柄表示装置４２における装飾図柄の変動パターン（演出パターン）の設定などが行われる。この第１表示制御処理の詳細は後述する。装飾図柄の変動パターン（演出パターン）が本実施形態における表示演出の演出態様に相当する。
【０１５３】
ステップＳ２０６では、可変入賞装置制御処理を実行する。この処理では、可変入賞装置３２においてどのような制御を行うか当該可変入賞装置３２の制御内容の設定が行われる。これにより、大当たり状態（特別遊技状態）となった場合には、可変入賞装置３２の大入賞口の開閉処理が所定ラウンド数繰り返し実行される。可変入賞装置制御処理の詳細は後述する。この可変入賞装置制御処理の機能により本実施形態における特別遊技状態制御手段が構成される。
【０１５４】
ステップＳ２０７では、第２表示制御処理を実行する。この処理では、普通図柄表示装置４１おいてどのような制御を行うか当該普通図柄表示装置４１の制御内容の設定などが行われる。この第２表示制御処理の詳細は後述する。
【０１５５】
ステップＳ２０８では、契機対応ユニット制御処理を実行する。この処理では、第１契機対応ユニット３３においてどのような制御を行うか当該第１契機対応ユニット３３の制御内容の設定が行われる。
【０１５６】
その後は、ステップＳ２０９において、ＲＡＭ５０３のバックアップエリア５０３ａに電源断の発生情報が設定されているか否かを判別する。ここでバックアップエリア５０３ａに電源断の発生情報が設定されていなければ、ステップＳ２１０で、次の通常処理の実行タイミングに至ったか否か、すなわち前回の通常処理の開始から所定時間（本実施形態では４ｍｓｅｃ）が経過したか否かを判別する。そして、既に所定時間が経過していれば、ステップＳ２０１へ移行し、上記ステップＳ２０１以降の処理を繰り返し実行する。
【０１５７】
一方、前回の通常処理の開始から未だに所定時間が経過していなければ、次の通常処理の実行タイミングに至るまでの残余時間内において、乱数初期値カウンタＣＩＮＩ及び変動種別カウンタＣＳ１，ＣＳ２の更新を繰り返し実行する（ステップＳ２１１，ステップＳ２１２）。
【０１５８】
つまり、ステップＳ２１１では、乱数初期値カウンタＣＩＮＩの更新を実行する。具体的には、乱数初期値カウンタＣＩＮＩを１インクリメントすると共に、そのカウンタ値が最大値（本実施形態では６７６）に達した際０にクリアする。
【０１５９】
また、ステップＳ２１２では、変動種別カウンタＣＳ１，ＣＳ２の更新を実行する（前記ステップＳ２０２と同様）。具体的には、変動種別カウンタＣＳ１，ＣＳ２を１インクリメントすると共に、それらのカウンタ値が最大値（本実施形態では１９８，２４０）に達した際それぞれ０にクリアする。そして、変動種別カウンタＣＳ１，ＣＳ２の変更値を、ＲＡＭ５０３の該当するバッファ領域に格納する。
【０１６０】
ここで、ステップＳ２０１〜Ｓ２０９の各処理の実行時間は遊技の状態に応じて変化するため、次の通常処理の実行タイミングに至るまでの残余時間は一定ではなく変動する。故に、かかる残余時間を使用して乱数初期値カウンタＣＩＮＩの更新を繰り返し実行することにより、乱数初期値カウンタＣＩＮＩ（すなわち大当たり乱数カウンタＣ１の初期値）をランダムに更新することができ、同様に変動種別カウンタＣＳ１，ＣＳ２についてもランダムに更新することができる。
【０１６１】
さて、ＲＡＭ５０３のバックアップエリア５０３ａに電源断の発生情報が設定されていれば（ステップＳ２０９：ＹＥＳ）、電源が遮断されたことになるので、電源断時の停電処理としてステップＳ２１３以降の処理が行われる。停電処理は、まずステップＳ２１３において各割込み処理の発生を禁止し、ステップＳ２１４において、ＣＰＵ５０１が使用している各レジスタの内容をスタックエリアに退避し、ステップＳ２１５において、スタックポインタの値をバックアップエリア５０３ａに記憶する。その後、ステップＳ２１６において、電源が遮断されたことを示す電源断通知コマンドを他の制御装置（払出制御装置３１１等）に対して送信する。そして、ステップＳ２１７でＲＡＭ判定値を算出し、バックアップエリア５０３ａに保存する。ＲＡＭ判定値は、例えば、ＲＡＭ５０３の作業領域アドレスにおけるチェックサム値である。その後、ステップＳ２１８でＲＡＭアクセスを禁止して、電源が完全に遮断して処理が実行できなくなるまで無限ループを継続する。
【０１６２】
次に、払出制御装置３１１内のＣＰＵ５１１により実行される払出制御について説明する。説明の便宜上、まず図１０を参照して受信割込み処理を説明し、その後図１１を参照してメイン処理を説明する。
【０１６３】
図１０は、払出制御装置３１１により実行される受信割込み処理を示すフローチャートである。受信割込み処理は、主制御装置２６１から送信されるコマンドを払出制御装置３１１が受信した場合に割り込んで実行される処理である。主制御装置２６１から送信されたコマンドが受信されたことを払出制御装置３１１が確認すると、払出制御装置３１１内のＣＰＵ５１１により実行される他の処理を一端待機させ、受信割込み処理が実行される。受信割込み処理が実行されると、まずステップＳ３００１において主制御装置２６１から送信されたコマンドをＲＡＭ５１３のコマンドバッファに記憶し、ステップＳ３００２において主制御装置２６１からコマンドが送信されたことを記憶するためにコマンド受信フラグをオンして、本受信割込み処理を終了する。上述したように、コマンドがコマンドバッファに記憶される場合には、記憶ポインタが参照されて所定の記憶領域に記憶されると共に、次に受信したコマンドを次の記憶領域に記憶させるために記憶ポインタが更新される。
【０１６４】
なお、本実施形態では、主制御装置２６１から送信されるコマンドの受信処理は、そのコマンドが受信されたときに実行される割込処理で行われるものとしたが、例えば、図１２に示したタイマ割込処理において、コマンド判定処理（ステップＳ３２０１）が行われる前に、コマンドが受信されたか否かを確認し、コマンドが受信されている場合にはそのコマンドをＲＡＭ５１３のコマンドバッファへ記憶してコマンド受信フラグをオンするとともに、コマンドが受信されていない場合にはコマンド判定処理へ移行するものとしてもよい。かかる場合には、所定間隔毎に入出力ポートのコマンド入力に対応するポートを確認することで、コマンドが受信されたか否かを確認する。
【０１６５】
次に、払出制御装置３１１のメイン処理について図１１を参照して説明する。図１１は、払出制御装置３１１のメイン処理を示すフローチャートであり、このメイン処理は電源投入時のリセットに伴い起動される。
【０１６６】
先ず始めに、ステップＳ３１０１では、電源投入に伴う初期設定処理を実行する。具体的には、スタックポインタに予め決められた所定値を設定すると共に、割込みモードを設定する。そして、ステップＳ３１０３でＲＡＭアクセスを許可すると共に、ステップＳ３１０４で外部割込みベクタの設定を行う。
【０１６７】
その後、ステップＳ３１０６では、ＲＡＭ５１３のバックアップエリア５１３ａに電源断の発生情報が設定されているか否かを判別する。そして、バックアップエリア５１３ａに電源断の発生情報が設定されていれば、ステップＳ３１０７でＲＡＭ判定値を算出し、続くステップＳ３１０８で、そのＲＡＭ判定値が電源断時に保存したＲＡＭ判定値と一致するか否か、すなわちバックアップの有効性を判別する。ＲＡＭ判定値は、例えばＲＡＭ５１３の作業領域アドレスにおけるチェックサム値である。なお、ＲＡＭ５１３の所定のエリアに書き込まれたキーワードが正しく保存されているか否かによりバックアップの有効性を判断することも可能である。
【０１６８】
ステップＳ３１０６で電源断の発生情報が設定されていない場合や、ステップＳ３１０８でＲＡＭ判定値（チェックサム値等）によりバックアップの異常が確認された場合には、ステップＳ３１１５以降のＲＡＭ５１３の初期化処理へ移行する。
【０１６９】
ステップＳ３１１５ではＲＡＭ５１３の全領域を０にクリアし、ステップＳ３１１６ではＲＡＭ５１３の初期値を設定する。その後、ステップＳ３１１７ではＣＰＵ周辺デバイスの初期設定を行い、ステップＳ３１１４へ移行して割込みを許可する。
【０１７０】
一方、ステップＳ３１０６で電源断の発生情報が設定されていること、及びステップＳ３１０８でＲＡＭ判定値（チェックサム値等）が正常であることを条件に、復電時の処理（電源断復旧時の処理）を実行する。つまり、ステップＳ３１０９で電源断前のスタックポインタを復帰させ、ステップＳ３１１０で電源断の発生情報をクリアし、ステップＳ３１１１で賞球の払出を許可する払出許可フラグをクリアする。また、ステップＳ３１１２では、ＣＰＵ周辺デバイスの初期設定を行い、ステップＳ３１１３では、使用レジスタをＲＡＭ５１３のバックアップエリア５１３ａから復帰させる。さらに、ステップＳ３１１４では、割込みを許可する。
【０１７１】
ステップＳ３１１４で割込みが許可された後は、ステップＳ３１２２の処理において、バックアップエリア５１３ａに電源断の発生情報が設定されているか否かを判別する。ここで、電源断の発生情報が設定されていれば、電源が遮断されたことになるので、電源断時の停電処理としてステップＳ３１２３以降の処理が行われる。停電処理は、まずステップＳ３１２３において各割込み処理の発生を禁止し、次のステップＳ３１２４において後述するコマンド判定処理を実行する。その後、ステップＳ３１２５でＣＰＵ５１１が使用している各レジスタの内容をスタックエリアに退避し、ステップＳ３１２６でスタックポインタの値をバックアップエリア５１３ａに記憶し、ステップＳ３１２７でＲＡＭ判定値を算出してバックアップエリア５１３ａに保存し、ステップＳ３１２８でＲＡＭアクセスを禁止して、電源が完全に遮断して処理が実行できなくなるまで無限ループを継続する。ここで、ＲＡＭ判定値は、例えば、ＲＡＭ５１３のバックアップされるスタックエリア及び作業エリアにおけるチェックサム値である。
【０１７２】
なお、ステップＳ３１２２の処理は、電源投入時に行われる処理の終了後に電源断の発生情報を確認しているので、各処理が途中の場合と比較してＲＡＭ５１３のバックアップエリア５１３ａに記憶するデータ量が少なくなり、容易に記憶することができる。また、電源遮断前の状態に復帰する場合には、バックアップエリア５１３ａに記憶されているデータ量が少ないので、容易に復帰させることができ、払出制御装置３１１の処理の負担を軽減することができる。
【０１７３】
次に、図１２のフローチャートを参照して、払出制御装置３１１のタイマ割込み処理を説明する。このタイマ割込み処理は、定期的に（本実施形態では２ｍｓｅｃ周期で）起動される。
【０１７４】
タイマ割込み処理では、まず、主制御装置２６１からのコマンドを取得し、そのコマンドの判定処理を行う（ステップＳ３２０１）。このコマンド判定処理について図１３を参照して以下に説明する。
【０１７５】
図１３は、払出制御装置３１１により行われるコマンド判定処理を示すフローチャートである。コマンド判定処理（ステップＳ３１２４，Ｓ３２０１）では、まず、ステップＳ３３０１においてコマンド受信フラグがオンされているか否かを判別する。コマンド受信フラグは、上述した受信割込み処理（図１０参照）において主制御装置２６１から送信されたコマンドを受信したときにオンされる。
【０１７６】
ステップＳ３３０１においてコマンド受信フラグがオフと判別されれば、新たなコマンドを主制御装置２６１から受信していないので、そのまま本処理を終了する。一方、ステップＳ３３０１でコマンド受信フラグがオンと判別されれば、ステップＳ３３０２において、その受信したコマンドをＲＡＭ５１３から読み出し、ステップＳ３３０３においてコマンド受信フラグをオフする。ステップＳ３３０３においてコマンド受信フラグをオフすることにより、新たにコマンドが受信されるまで、ステップＳ３３０２〜ステップＳ３３１２の処理をスキップできるので、払出制御装置３１１の制御を軽減することもできる。
【０１７７】
ステップＳ３３０４〜ステップＳ３３０６の処理でＲＡＭ５１３から読み出されたコマンドの種類が判別される。ステップＳ３３０４では主制御装置２６１から送信されたコマンドが払出初期化コマンドであるか否かが判別され、ステップＳ３３０５では払出復帰コマンドであるか否かが判別され、ステップＳ３３０６では賞球コマンド又は貸球コマンドであるか否かが判別される。
【０１７８】
主制御装置２６１から送信されたコマンドが払出初期化コマンドであれば、ステップＳ３３０７で既に払出許可フラグがオンされているか否かが判別され、払出許可フラグがオフされていれば、電源投入時に主制御装置２６１からＲＡＭ５１３の初期化が指示されていることになるので、ステップＳ３３０８でＲＡＭ５１３のスタックエリア以外となる作業領域（エリア）を０にクリアし、ステップＳ３３０９でＲＡＭ５１３の初期値を設定する。その後、ステップＳ３３１２で払出許可フラグをオンして、賞球の払出許可が設定される。
【０１７９】
上述したように、主制御装置２６１は、払出初期化コマンドを送信した後に、ＲＡＭ５０３の初期化処理を行っており、払出制御装置３１１は、払出初期化コマンドを受信した後に、ＲＡＭ５１３の初期化処理を行っているので、ＲＡＭ５０３が初期化されるタイミングと、ＲＡＭ５１３が初期化されるタイミングとが略同時期となる。よって、初期化のタイミングがずれることにより、主制御装置２６１から送信されるコマンドを払出制御装置３１１が受信したとしても、ＲＡＭ５１３が初期化されてしまい、受信したコマンドに対応する制御が行えない等の弊害の発生を防止することができる。また、ＲＡＭ５１３が初期化された後に、払出許可フラグをオンするので、賞球の払出許可を確実に設定することができる。
【０１８０】
一方、ステップＳ３３０７で既に払出許可フラグがオンされていれば、ＲＡＭ５１３の作業領域のクリアと、ＲＡＭ５１３の初期化処理とを行わずに、本コマンド判定処理を終了する。すなわちステップＳ３３０７の処理は、払出許可フラグが設定された状態でＲＡＭ５１３が初期化されることを禁止している。なお、払出初期化コマンドは、電源投入時にＲＡＭ消去スイッチ３２３がオンされている場合のみ送信されるコマンドであるので、払出許可フラグがオンされた状態で受信することはなく、かかる場合には、ノイズなどの影響によって払出制御装置３１１が払出初期化コマンドとして認識してしまったことが考えられる。よって、払出許可フラグがオンされている状態で、ＲＡＭ５１３の作業領域のクリア（ステップＳ３３０８）と、ＲＡＭ５１３の初期値設定（ステップＳ３３０９）を実行すると、賞球が残っている場合に払出されないなどの弊害が生じて遊技者に損失を与えてしまうが、払出許可フラグがオンされている状態で、ＲＡＭ５１３が初期化されることを防止しているので、遊技者に損失を与えることを防止できる。
【０１８１】
また、主制御装置２６１から送信されたコマンドが払出復帰コマンドであれば（ステップＳ３３０４：ＮＯ、ステップＳ３３０５：ＹＥＳ）、主制御装置２６１及び払出制御装置３１１が電源遮断前の状態に復帰するので、賞球の払出を許可するためにステップＳ３３１２で払出許可フラグをオンする。すなわち、電源断の発生情報があり、主制御装置２６１と払出制御装置３１１が電源遮断前の状態に復帰した場合には、賞球の払出が許可される。ステップＳ３３１２の処理において払出許可フラグがオンされると、コマンドバッファの所定の記憶領域に記憶されたコマンドに基づく処理が終わったことになるので、読出ポインタが次の記憶領域に対応した読出ポインタに更新される。
【０１８２】
さらに、主制御装置２６１から送信されたコマンドが賞球コマンドや貸球コマンドであれば（ステップＳ３３０５：ＮＯ、ステップＳ３３０６：ＹＥＳ）、ステップＳ３３１０において、受信した払出個数（賞球数、貸球数）を払出個数記憶エリアに記憶されている総払出個数に加算して記憶する。続いて、ステップＳ３３１１において、払出確認フラグをオンするとともに、払出確認タイマをセットする。
【０１８３】
その後、遊技球の払出しを許可するためにステップＳ３３１２で払出許可フラグをオンする。この際、払出制御装置３１１は、コマンドバッファ（リングバッファ）に記憶された賞球コマンドや貸球コマンドを順次読み出し、当該コマンドに対応する遊技球の払出個数を、払出個数記憶エリアに記憶される総払出個数に加算して記憶する。本実施形態では、主制御装置２６１から送信される賞球コマンド（貸球コマンド）に基づいて賞球個数（貸球個数）に対応した遊技球の払出しが行われるので、賞球コマンド（貸球コマンド）は遊技球の払出しを指示する払出指示コマンドである。また、賞球コマンド（貸球コマンド）が受信された場合には、即座に払出許可が設定されるので、入賞又は遊技球の貸出操作に対して早期に遊技球の払出しを行うことができる。ステップＳ３３１２の処理において払出許可フラグがオンされると、コマンドバッファの所定の記憶領域に記憶されたコマンドに基づく処理が終わったことになるので、読出ポインタが次の記憶領域に対応した読出ポインタに更新される。
【０１８４】
なお、主制御装置２６１から送信されたコマンドが払出初期化コマンドでもなく（ステップＳ３３０４：ＮＯ）、払出復帰コマンドでもなく（ステップＳ３３０５：ＮＯ）、賞球コマンドでもなく、貸球コマンドでもなければ（ステップＳ３３０６：ＮＯ）、払出許可フラグをオンすることなく、コマンド判定処理を終了する。
【０１８５】
ここで、図１２のフローチャートに戻って説明する。コマンド判定処理が終わると、ステップＳ３２０２において、コマンド判定処理で払出許可フラグがオンされたか否かが判別される。ここで、払出許可フラグがオンされていなければ、そのまま本処理を終了する。つまり、主制御装置２６１からコマンドが送信される前に遊技球の払出しが行われることを防止することができる。
【０１８６】
一方、ステップＳ３２０２で肯定判定されれば、ステップＳ３２０３で発射制御装置３１２に対して発射許可の設定を行い、ステップＳ３２０４で状態復帰スイッチ３２１をチェックして、状態復帰動作開始と判定した場合に状態復帰動作を実行する。この処理により、例えば払出モータの球詰まり等、払出エラーの発生時において状態復帰スイッチ３２１が押下されると、払出モータが正逆回転され、球詰まりの解消（正常状態への復帰）が図られる。
【０１８７】
その後、ステップＳ３２０５では、下皿１５の状態の変化に応じて下皿満タン状態又は下皿満タン解除状態の設定を実行する。すなわち、下皿満タンスイッチの検出信号により下皿１５の満タン状態を判別し、下皿満タンになった時、下皿満タン状態の設定を実行し、下皿満タンでなくなった時、下皿満タン解除状態の設定を実行する。また、ステップＳ３２０６では、タンク球の状態の変化に応じてタンク球無し状態（球切れ状態）又はタンク球無し解除状態（球有り状態）の設定を実行する。すなわち、タンク球無しスイッチの検出信号によりタンク球無し状態を判別し、タンク球無しになった特、タンク球無し状態の設定を実行し、タンク球無しでなくなった特、タンク球無し解除状態の設定を実行する。
【０１８８】
その後、ステップＳ３２０７では、例えばエラー状態のように報知すべき状態の有無を判別し、報知すべき状態が有る場合には報知する。
【０１８９】
続いて賞球及び貸球の払出制御処理を実行する。詳しくは、ステップＳ３２０８で払出個数設定処理を行う。払出個数設定処理では、払出検出スイッチ４０４の信号を受信しているか否かを確認し、受信している場合には遊技球が払出されているため、その分だけ払出個数記憶エリアに記憶された総払出個数から減算する。続く、ステップＳ３２０９では、払出個数記憶エリアに記憶された総払出個数に基づいて払出モータ４０３の制御内容を設定するモータ制御状態取得処理を行い、ステップＳ３２１０においてモータ駆動処理を行う。もちろん、払出個数記憶エリアに記憶された総払出個数の場合には、払出モータ４０３が停止状態となる。
【０１９０】
ステップＳ３２１１では、状態復帰スイッチ３２１をチェックして球抜き不可状態でないこと、及び球抜き動作開始でないことを条件に、払出モータ４０３を駆動させ球抜き処理を実行する。続くステップＳ３２１２では、球詰まり状態であることを条件にバイブレータ３６０の制御（バイブモータ制御）を実行する。その後、本タイマ割込み処理の先頭に戻る。
【０１９１】
次に、図１４のフローチャートを参照して、払出制御装置３１１の払出確認処理を説明する。この払出確認処理は、定期的に（例えば２ｍｓｅｃ周期で）起動される。
【０１９２】
先ず、ステップＳ３４０１において払出確認フラグ（図１３のステップＳ３３１１参照）がオンされているか否かを判別する。ここで否定判定された場合にはそのまま本処理を終了し、一方、肯定判定された場合には、ステップＳ３４０２に進み、払出検出スイッチ４０４の検出があるか否かを判別する。
【０１９３】
ステップＳ３４０２で否定判定された場合には、ステップＳ３４０３に進み、払出確認タイマを参照し、主制御装置２６１より賞球コマンド又は貸球コマンドを受けてから（コマンドの受信を確認してから）所定時間経過したか否かを判別する。ここで肯定判定された場合には、ステップＳ３４０４において払出モータ４０３の駆動を停止させるエラー処理を実行してから、本処理を終了する。一方、否定判定された場合には、ステップＳ３４０５に進み、払出確認タイマを減算してから本処理を終了する。
【０１９４】
また、ステップＳ３４０２で肯定判定された場合、すなわち払出検出スイッチ４０４による遊技球の検出が確認された場合には、ステップＳ３４０６において払出確認フラグをオフするとともに、ステップＳ３４０７で払出確認タイマを解除（オフ）した後、本処理を終了する。
【０１９５】
このように、払出制御装置３１１は、賞球コマンド又は貸球コマンドの受信から所定時間以上経過しても払出検出スイッチ４０４による検知がない場合には、払出モータ４０３の駆動を停止させ、遊技球の払出しを中止させることができる。従って、払出検出スイッチ４０４と払出制御装置３１１とを電気的に切断したり、払出検出スイッチ４０４を取外したりすることで払出検出スイッチ４０４による遊技球の検出が行われないようにして、不当に遊技球を払出させるといった不正行為を抑制することができる。尚、ステップＳ３４０４のエラー処理において、払出モータ４０３の駆動停止にあわせて、報知や通報等を行うこととしてもよい。
【０１９６】
なお、上述した実施形態の記載内容に限定されず、例えば次のように実施してもよい。
【０１９７】
（ａ）上記実施形態では、ベース板４４１に対してカバー部材７０１が破断ねじ７３１によって取外不可能に取付けられているが、特にこのような構成に限定されるものではない。例えば、カバー部材７０１の端部とカバーパネル４４３及びベース板４４１との間を接着剤や熱溶着により固定してもよい。
【０１９８】
また、例えば、カバー部材７０１に対して爪部を有する係止部を設け、当該係止部をベース板４４１に係止させてもよい。態様例を挙げると、図２３（Ａ）に示すように、カバー部材７０１の縦板部７０３から前方のベース板４４１に向けて延びる延出部８０４と、各延出部８０４の先端部から延出部８０４と交差する方向に突出する爪部８０５とを具備する一対の係止部８０１を設ける。一対の係止部８０１の爪部８０５は、突出方向が互いに逆向きであることが望ましい。また、ベース板４４１の背面から後方に延びる突出部８１４と爪部８０５を引っ掛ける鉤部８１５とからなる一対の被係止部８１１を設ける。そして、係止部８０１の爪部８０５を被係止部８１１の鉤部８１５に係止させることで、カバー部材７０１をベース板４４１（払出装置３５８）に取付けてもよい。以上の構成によれば、係止部８０１はカバー領域内（球通路４０１側や払出装置３５８外部からでは接触不可能な部位）に配置されているため、係止部８０１を操作し、爪部８０５の係止状態を解除するといったことができないようになっている。つまり、カバー部材７０１がベース板４４１（払出装置３５８）に対して取外不可能に取付けられることとなる。また、係止部８０１を被係止部８１１に係止させるだけ（ワンタッチ）で、カバー部材７０１をベース板４４１（払出装置３５８）に取付けることができ、カバー部材７０１の取付作業性の向上を図ることができる。
【０１９９】
また、例えば、図２３（Ｂ）に示すように、ベース板４４１から後方に延びる被係止部８０１に代えて、ベース板４４１に開口部８１７を形成するとともに、ベース板４４１と一体形成され、開口部８１７の前方を覆う箱状の隠しボックス８１８を設ける。そして、係止部８０２の爪部８０５を開口部８１７を介してベース板４４１の前面に係止させることで、カバー部材７０１をベース板４４１（払出装置３５８）に取付けてもよい。当該構成を採用する場合にも、図２３（Ａ）に示す構成と同様の作用効果が奏される。
【０２００】
尚、係止部８０１、８０２は、取付状態にあるカバー部材７０１のうちベース板４４１と当接する当接部位の外周縁部よりも所定間隔を隔てて内側に設けられることとしてもよい。この場合、係止部８０１、８０２の係止状態を解除するといった行為をより確実に防止することができる。また、破断ねじ７３１による螺着と係止部８０１による係止とを併用する等、様々な固定方法を組合わせてもよい。もちろん、複数の破断ねじ７３１でカバー部材を固定してもよい。尚、図２３（Ａ），（Ｂ）では、ベース板４４１の前面側の構成（球通路４０１等）及びカバー領域の内部構成の図示を省略している。
【０２０１】
（ｂ）上記実施形態では、払出モータ４０３及びスプロケット４０２によって遊技球が１球ずつ払出されるよう構成されているが、特にこのような構成に限定されるものではなく、遊技球を払出すべき球数だけ払出すことのできる構成となっていればよい。例えば、球通路４０１内の遊技球を支持することのできるシャッタと、シャッタをスライドさせるソレノイドとを備え、球通路４０１を開閉することで、遊技球を所定数払出可能に構成としてもよい。
【０２０２】
また、スプロケット４０２等の回転する部材を採用する場合であっても、回転板４２１ａ、４２１ｂの形状（例えば移送凹部４２５の数）や枚数等は限定されるものではなく、遊技球を所定数ずつ下流側（導出部４１３）へと送ることのできる構成であればよい。例えば、タンク３５５から遊技球が４列（案内通路が４本）で払出装置３５８に運ばれるとともに、４つの回転板で遊技球を１つずつ導出部４１３へと送る構成としてもよい。
【０２０３】
（ｃ）上記実施形態では特に言及していないが、カバー部材７０１の縦板部７０３等に形成される放熱用の孔部は、カバー取付穴部７２１（破断ねじ７３１）を囲むようにして複数形成される上、放熱用の孔部は互いに近接している。このため、これらの放熱用の孔部同士の間の部位をニッパー等で破断し、カバー部材７０１（破断ねじ７３１によってベース板４４１に固定されている部位を除く大部分）を払出装置３５８から別離させることができる。従って、パチンコ機１０をリサイクルしたり廃棄したりする際に分別しやすく、作業性の向上が図られる。
【０２０４】
さらに、図２４で示すように、カバー取付穴部７２１を囲む放熱用の孔部８５１の数を上記実施形態のものよりも減らしたり、孔部８５１同士をより近接させたりしてもよい。この場合、分別作業性の更なる向上が図られる。また、図２４に示すように、カバー取付穴部７２１を囲む孔部８５１の数を減らすと、孔部８５１を大きくする必要が生じる。しかしながら、単に孔部８５１を大きくすると、当該孔部８５１からカバー領域内への侵入を許してしまうおそれがある。従って、分別作業に際して工具を挿通させる部位（例えば孔部８５１の長手方向両端部付近）を除く部位においては、前記工具を挿通させることができない（幅が狭い）構成としてもよい。この場合、分別作業に際して工具を孔部８５１にスムースに挿通させることができる上、孔部８５１を介してカバー領域内への侵入を許してしまうといった事態を抑止することができる。
【０２０５】
（ｄ）上記実施形態では、払出検出スイッチ４０４及び払出モータ４０３に受側コネクタ４３５、４３６が設けられ、それぞれ検出用ハーネス４３１、駆動用ハーネス４３２が接続される構成となっているが、例えば、払出検出スイッチ４０４、払出モータ４０３からコネクタを介することなく延びる信号線の先端に設けられた差込側コネクタが装置用中継基板４０６に接続される構成としてもよい。特に、払出検出スイッチ４０４に関して当該構成を採用する場合、蓋部材４４４を開放することで、払出検出スイッチ４０４を球通路４０１側に引っ張り出せたとしても、払出検出スイッチ４０４と装置用中継基板４０６とを接続するコネクタ部が球通路４０１側に露出しないこととなる。このため、払出検出スイッチ４０４と装置用中継基板４０６との間に不正な基板を介在させるといった不正行為をより確実に防止することができる。尚、装置用中継基板４０６を省略し、例えば、検出用ハーネス４３１、駆動用ハーネス４３２を直接払出中継基板３８１や払出制御装置３１１に接続してもよい。
【０２０６】
（ｅ）上記実施形態では、払出個数記憶エリアに払出すべき遊技球の球数を記憶し、払出検出スイッチ４０４の検出に伴って払出個数記憶エリアに記憶されている総払出個数を減算していき、かかる数が「０」になった場合に払出を停止する構成となっているが、特に当該構成に限定されるものではない。例えば、スプロケット４０２の回転板４２１ａ，４２１ｂや払出モータ４０３の回転を検出する回転検出スイッチを備え、当該回転検出スイッチの検出に基づき、回転板４２１ａ，４２１ｂや払出モータ４０３がどれだけ回転したかによって、払出を停止させることとしてもよい。この場合、回転検出スイッチが払出検出手段を構成する。
【０２０７】
（ｆ）上記実施形態では、破断ねじ７３１によってベース板４４１に取付けられたカバー部材７０１が一度取外されると二度と取付けることができない構成となっているがカバー部材７０１が払出装置３５８から離脱し、カバー領域が開放（開封）された場合に所定の痕跡が残る構成となっていればよく、一旦カバー領域が開放されても再度カバー部材７０１をベース板４４１に取付可能に構成してもよい。つまり、かかる構成を採用する場合であっても、所定の痕跡の有無を確認することで、カバー部材７０１が不正に取外されたか否かを確実に把握することができるため、上記実施形態と同様に、カバー部材７０１を取外して払出装置３５８を不正改造するといった行為を防止することができる。
【０２０８】
尚、態様例としては、上記実施形態におけるカバー部材７０１の右壁部７０６の前端部から右方に突出し、前後に貫通するねじ孔を有する第１封印用突起と、第１封印用突起に対応して、ベース板４４１の右辺部から右方に突出し、有底状のねじ孔を有する複数の第２封印用突起とを備える封印部を複数設ける。そして、複数の封印部のうちのいずれかの第１封印用突起のねじ孔及び第２封印用突起のねじ穴に破断ねじを螺着する。（尚、破断ねじの拡径部の周縁部への接触を防止できる構成となっていることが望ましい。）
そして、収容した部材（払出モータ４０３等）の不具合等によりカバー領域を開封する場合には、破断ねじが螺着されている封印部を払出装置３５８から切除する。その後、再度カバー部材７０１を取付ける場合は、その他の封印部の第１封印用突起のねじ孔及び第２封印用突起のねじ穴に破断ねじを螺着する。このように、カバー領域を開封した旨の履歴を残しておけば、不正な開封が行われた旨を容易に発見することができる。
【０２０９】
（ｇ）上記実施形態では、球通路４０１の前壁部がカバー部材７０１の取付後においても取外し可能な蓋部材４４４により構成されているが、カバー部材７０１の取付後においては球通路４０１を開放不可能に構成してもよい。例えば、上記実施形態では、蓋部材４４４の蓋固定用孔４９６が前後に貫通する孔として構成され、当該蓋固定用孔４９６に対し蓋部材４４４の前面側からねじが螺着される構成であったが、図２５に示すように、蓋固定用孔９０１を後方に開口する有底状の穴として構成し、ベース板４４１に形成された留付孔９０２と位置合わせして、ベース板４４１の背面側から留付孔９０２及び蓋固定用孔９０１にねじ９０３を螺着して、蓋部材４４４を払出装置３５８に取付けることとしてもよい。この場合、蓋部材４４４が規制手段を構成し、ねじ９０３が取付手段、取着手段、固着手段を構成する。
【０２１０】
また、例えば、蓋部材４４４と通路ブロック４４２とを一体的に形成する等してもよい。これらのようにカバー部材７０１の取付後においては球通路４０１を開放不可能とする場合であっても、スプロケット４０２や払出検出スイッチ４０４を取外不可能とできるため、払出装置３５８の不正改造を抑制することができる。尚、球通路４０１を構成する壁部において（例えば通路ブロック４４２と蓋部材との間）棒材等を挿入して球通路４０１における球詰まりの解消を図ることのできる開口部（球通路４０１に沿って延びるスリット等）を形成してもよい。
【０２１１】
（ｈ）上記実施形態では、払出検出スイッチ４０４の前端部に当接する規制壁部４９４を設け、払出検出スイッチ４０４の前方への移動を規制しているが、例えば、払出検出スイッチ４０４の側部に対して凸部や凹部等の係止部を設けるとともに、カバーパネル４４３に対して、前記係止部を係止して、払出検出スイッチ４０４の前方への移動を規制する被係止部を設けることとしてもよい。
【０２１２】
また、上記実施形態では、払出検出スイッチ４０４の抜けを防止する第１の規制手段（規制壁部４９４）と、スプロケット４０２の抜けを防止する第２の規制手段（上突部４９２）とがともにカバーパネル４４３（台座部４８９）に設けられているが、特にこのような構成に限定されるものではない。例えば、第１の規制手段、第２の規制手段が通路ブロック４４２に設けられてもよいし、カバー部材７０１に対して第１の規制手段や第２の規制手段を設けてもよい。後者の構成を採用する場合の態様例としては、位置決め突起４５５を省略するとともにカバー部材７０１の右壁部７０６の内面に第１の規制手段としての突起を設けるものが挙げられる。この場合、規制壁部４９４が支持手段を構成することとなる。
【０２１３】
尚、払出検出スイッチ４０４やスプロケット４０２の抜けを防止する規制手段は、当該規制手段を払出装置３５８（ベース板４４１やカバーパネル４４３）に取付固定するためのねじや係止部がカバー領域に配置される構成となっていればよい。例えば、規制手段をモータケース４０３aに一体的に形成し、ベース板４４１に形成した孔部を介して払出検出スイッチ４０４の抜けを防止する構成としてもよいし、別途用意した鉤状の規制手段を払出検出スイッチ４０４の前端部等に引っ掛けて当該払出検出スイッチ４０４の抜けを防止するとともに、ベース板４４１に形成した孔部を介してベース板４４１の背面側（カバー領域）に位置する規制手段の後端部については、ベース板４４１、カバーパネル４４３、又はモータケース４０３aに対し、ねじや係止部によって固定されることとしてもよい。
【０２１４】
（ｉ）上記実施形態とは異なるタイプのパチンコ機として実施してもよい。また、パチンコ機以外にも、アレンジボール機、それに類する雀球等の各種遊技機、スロットマシンとパチンコ機とを融合した形式の遊技機などとして実施してもよい。
【０２１５】
［付記］
上記実施形態から把握できる技術的思想について、以下に記載する。
【０２１６】
一般にパチンコ機等の遊技機では、遊技領域へと打ち出された遊技球が入賞口へ入賞すると所定数の遊技球が遊技者に払出される構成となっている。例えば、遊技球の入賞口への入賞が検出されると、主制御装置が払出制御装置に対して遊技球を払出す旨の信号を出力するとともに、払出制御装置が当該信号に基づいて払出モータを駆動することによって遊技球の払出しが行われるのである。このようにして払出される遊技球は検出スイッチによってカウントされ、カウント値が払出すべき値に達した場合に遊技球の払出しが終了する（例えば、特許文献１参照）。
【０２１７】
ところが、検出スイッチによる遊技球の検出が正常に行われなかったり、払出モータが正常に駆動しなかったりする場合には、遊技球が過剰に払出されたり、実際に払出される遊技球の球数が払出すべき遊技球の球数に到達しなかったりするおそれがある。このため、不当に遊技球を獲得したり、払出される遊技球を不当に削減したりする目的で、意図的に検出スイッチや払出モータを誤作動させる等の不正が行われることが懸念される。
【０２１８】
本発明は、上記例示した事情等に鑑みてなされたものであり、その目的は、遊技球の払出しに関する不正を抑制することのできる遊技機を提供することにある。
【０２１９】
手段１．各種検出信号の入力に基づいて各種制御を行う主制御装置と、
前記主制御装置から出力される信号に基づいて遊技球の払出しに関する制御を行う払出制御装置と、
前記払出制御装置から出力される信号に基づいて所定数の遊技球を払出す払出手段とを備え、
前記払出手段は、
遊技球が流下可能な球通路と、
前記球通路内における遊技球の流下を制止可能な制止部材と、
前記制止部材を変位させることのできる駆動手段と、
遊技球の払出しを検出する払出検出手段とを備え、
前記払出制御装置が前記主制御装置及び前記払出検出手段からの信号に基づいて前記駆動手段を駆動制御することで、前記制止部材によって制止されていた遊技球が所定数だけ前記制止部材の下流側に流下して、所定数の遊技球が払出される構成であって、
前記払出検出手段の取外しを規制する規制手段と、
前記払出手段に搭載された部材のうち前記払出制御装置と電気的に接続される部材の少なくとも一部を覆うカバー手段とを備え、
前記カバー手段は、固定手段によって前記払出手段に対して取外不可能に取付けられ、
前記カバー手段が前記固定手段によって前記払出手段に取付けられることで、前記規制手段が前記払出手段に対して取外不可能とされ、
前記カバー手段を前記払出手段から離脱させる場合には、前記払出手段及び前記カバー手段のうち少なくとも一方に対して所定の痕跡が形成されることを特徴とする遊技機。
【０２２０】
手段１によれば、払出手段には、当該払出手段に搭載された部材のうち、払出制御装置と電気的に接続される部材の少なくとも一部を覆うカバー手段が取外不可能に取付けられている。従って、カバー手段によって覆われた部材を接触困難又は不可能とすることができる。さらに、本手段１では、カバー手段の取付後においては、払出検出手段の取外しを規制する規制手段が取外不可能とされる。つまり、カバー手段の取付後においては払出検出手段を取外すことができなくなっている。従って、払出検出手段を取外し、払出検出手段と払出制御装置との間に不正な基板を介在させたり、正規の払出検出手段に代えて別途用意した不正な払出検出手段を取付けたりすることで、払出制御装置に報告する遊技球の払出個数を実際に払出された遊技球の数よりも少なくしたり、多くしたりするといった不正行為を防止することができる。結果として、払出手段を不正改造して、不当に遊技球を獲得したり、払出される遊技球を不当に削減したりするといった不正行為の抑制を図ることができる。
【０２２１】
また、カバー手段を払出手段から離脱させる（取外す）ためにはカバー手段や払出手段の一部を破断等する必要がある。この場合、元の形態に完全に修復することは不可能であり、痕跡が残る。従って、カバー手段が不正に取外されたことを把握することができ、結果として、カバー手段を不正に取外し、払出手段を不正改造するといった行為を抑制することができる。
【０２２２】
また、規制手段は、カバー手段が固定手段によって取付けられることで取外不可能となる。従って、カバー手段が固定手段によって取付けられる前の段階では、規制手段が払出手段に対して着脱可能であることとすれば、カバー手段と関係なく規制手段が単独で払出手段に対して取外不可能に取付けられる場合に比べ、製造作業性の向上等を図ることができる。さらに、リサイクルや廃棄の際には、カバー手段を払出手段から離脱させることができれば、規制手段を払出手段から比較的容易に取外すことができるため、分別作業性の向上が図られる。
【０２２３】
尚、払出制御装置及び主制御装置は、所定の痕跡を残さなければ開封することのできない基板ボックスに収容されていることが好ましい。加えて、払出検出手段としては、例えば、前記駆動手段の駆動に伴って払出される遊技球を検出する払出検出スイッチであることとしてもよいし、駆動手段がモータである場合にはモータがどれだけ回転したかを把握できるセンサであることとしてもよい。尚、「前記払出制御装置は、前記主制御装置から払出を行う旨の信号を受信してから所定時間以上経過しても前記払出検出スイッチによる検出信号が確認されない場合に、遊技球の払出し（前記駆動手段の駆動）を停止すること」としてもよい。つまり、払出信号の受信から所定時間経過しても払出検出スイッチの検出がない場合には、「駆動手段又は払出検出スイッチと払出制御装置とが電気的に切断された」、「駆動手段又は払出検出スイッチが故障した」、「払出検出スイッチが取外された」、「球詰まりが発生した」等の不具合が発生しているおそれがある。このような不具合の中でも特に、遊技球は払出されているが払出検出スイッチの検出が正常に行われない（検出信号が払出制御装置に入力されない）場合には、永続的に遊技球が払い出されてしまうおそれがある。これに対し、上記のように、駆動手段を駆動させたのにもかかわらず払出検出スイッチからの検出が確認されない場合には払出しを停止させることで、かかる不具合を防止することができる。尚、駆動手段の駆動の停止にあわせて、報知や通報等を行うことも可能である。
【０２２４】
手段２．各種検出信号の入力に基づいて各種制御を行う主制御装置と、
前記主制御装置から出力される信号に基づいて遊技球の払出しに関する制御を行う払出制御装置と、
前記払出制御装置から出力される信号に基づいて所定数の遊技球を払出す払出手段とを備え、
前記払出手段は、
遊技球が流下可能な球通路と、
前記球通路内における遊技球の流下を制止可能な制止部材と、
前記制止部材を変位させることのできる駆動手段と、
遊技球の払出しを検出する払出検出手段とを備え、
前記払出制御装置が前記主制御装置及び前記払出検出手段からの信号に基づいて前記駆動手段を駆動制御することで、前記制止部材によって制止されていた遊技球が所定数だけ前記制止部材の下流側に流下して、所定数の遊技球が払出される構成であって、
前記制止部材の取外しを規制する規制手段と、
前記払出手段に搭載された部材のうち前記払出制御装置と電気的に接続される部材の少なくとも一部を覆うカバー手段とを備え、
前記カバー手段は、固定手段によって前記払出手段に対して取外不可能に取付けられ、
前記カバー手段が前記固定手段によって前記払出手段に取付けられることで、前記規制手段が前記払出手段に対して取外不可能とされ、
前記カバー手段を前記払出手段から離脱させる場合には、前記払出手段及び前記カバー手段のうち少なくとも一方に対して所定の痕跡が形成されることを特徴とする遊技機。
【０２２５】
手段２によれば、カバー手段によって覆われた部材を接触困難又は不可能とすることができる上、カバー手段の取付後においては、規制手段ひいては制止部材を取外不可能とすることができる。従って、正規の制止部材に代えて別途用意した不正な制止部材を取付け、駆動手段が同じ量だけ駆動したとしても、正規の制止部材が取付けられている場合に比べて、払出される遊技球を多くしたり、少なくしたりするといった不正行為を防止することができる。結果として、払出手段を不正改造して、不当に遊技球を獲得したり、払出される遊技球を不当に削減したりするといった不正行為の抑制を図ることができる。
【０２２６】
手段３．各種検出信号の入力に基づいて各種制御を行う主制御装置と、
前記主制御装置から出力される信号に基づいて遊技球の払出しに関する制御を行う払出制御装置と、
前記払出制御装置から出力される信号に基づいて所定数の遊技球を払出す払出手段とを備え、
前記払出手段は、
遊技球が流下可能な球通路と、
前記球通路内における遊技球の流下を制止可能な制止部材と、
前記制止部材を変位させることのできる駆動手段と、
遊技球の払出しを検出する払出検出手段とを備え、
前記払出制御装置が前記主制御装置及び前記払出検出手段からの信号に基づいて前記駆動手段を駆動制御することで、前記制止部材によって制止されていた遊技球が所定数だけ前記制止部材の下流側に流下して、所定数の遊技球が払出される構成であって、
前記払出検出手段の取外しを規制する第１の規制手段と、
前記制止部材の取外しを規制する第２の規制手段と、
前記払出手段に搭載された部材のうち前記払出制御装置と電気的に接続される部材の少なくとも一部を覆うカバー手段とを備え、
前記カバー手段は、固定手段によって前記払出手段に対して取外不可能に取付けられ、
前記カバー手段が前記固定手段によって前記払出手段に取付けられることで、前記第１の規制手段及び前記第２の規制手段が前記払出手段に対して取外不可能とされ、
前記カバー手段を前記払出手段から離脱させる場合には、前記払出手段及び前記カバー手段のうち少なくとも一方に対して所定の痕跡が形成されることを特徴とする遊技機。
【０２２７】
手段３によれば、基本的に上記手段１、２と同様の作用効果が奏される。また、１つのカバー手段を取付けることで、第１の規制手段及び第２の規制手段を払出手段に対して取外不可能とすることができるため、カバー手段を各規制手段に個別に対応させて２つ設けるような場合に比べ構成の簡素化等を図ることができる。
【０２２８】
手段４．前記払出手段は、前記カバー手段によって覆われるカバー領域と前記球通路とを隔離するベース部材を備え、
前記ベース部材は前記払出検出手段を挿通可能な挿通孔を有し、
前記カバー手段の取付状態においては、前記払出検出手段が前記挿通孔に挿通されて前記ベース部材を貫通した状態とされ、
前記規制手段は、前記払出検出手段の貫通方向に沿った方向において、前記挿通孔に挿通された状態にある前記払出検出手段の一方向側への移動を規制する部材であり、当該払出検出手段の他方向側への移動を規制する支持手段は、前記規制手段とは別体として構成される部材に設けられていることを特徴とする手段１又は３に記載の遊技機。
【０２２９】
手段４によれば、規制手段は、払出検出手段の一方向への移動を規制できる構成となっていればよい。従って、規制手段の簡素化を図ることができる。また、規制手段が設けられた部材を払出手段に組付ける段階にあっては、払出検出手段は支持手段や挿通孔の周縁部によって位置決めされているため、比較的容易に規制手段が設けられた部材を組付けることができる。従って、製造作業性の向上等を図ることができる。
【０２３０】
尚、挿通孔に挿通された払出検出手段と挿通孔の周縁部との間にはほとんど隙間がなく、挿通孔の周縁部によって払出検出手段の挿通孔外周方向への変位が規制されることとしてもよい。この場合、払出検出手段の取付状態の安定化を図ることができる。「前記規制手段とは別体として構成される部材」としては、例えば、規制手段がカバー手段に設けられる場合には「ベース部材」等が挙げられる。
【０２３１】
手段５．前記払出手段は、前記カバー手段によって覆われるカバー領域と前記球通路とを隔離するベース部材と、前記駆動手段の駆動力を前記制止部材に伝達するとともに、前記ベース部材に形成された軸孔に挿通されて前記ベース部材を貫通する伝達部材とを備え、
前記ベース部材から突出する前記伝達部材の端部に対して前記制止部材を前記伝達部材の延設方向に取付けることで前記伝達部材と前記制止部材とが接続される構成であって、
前記規制手段は、前記制止部材の前記ベース部材から離れる方向への移動を規制する部材であることを特徴とする手段２又は３に記載の遊技機。
【０２３２】
手段５によれば、規制手段は、制止部材の一方向への移動を規制できる構成となっていればよい。従って、規制手段の簡素化を図ることができる。また、規制手段が設けられた部材を払出手段に組付ける段階にあっては、制止部材は、伝達部材やベース部材によって位置決めされているため、比較的容易に規制手段が設けられた部材を組付けることができる。従って、製造作業性の向上等を図ることができる。
【０２３３】
手段６．前記規制手段は、固着手段によって前記払出手段に取付けられ、
前記固着手段が前記カバー手段によって覆われるカバー領域に配置されることを特徴とする手段１乃至５のいずれかに記載の遊技機。
【０２３４】
手段６によれば、規制手段が固着手段によって払出手段に取付けられ、当該固着手段は固定手段の取付後においてカバー領域に配置される。このため、カバー手段の取付後において、固着手段への接触を困難又は不可能とすることができ、確実に規制手段を取外不可能とすることができる。従って、上記手段１乃至３の作用効果が確実に奏される。また、固着手段については、カバー手段が取付けられることで取外不可能となるため、規制手段を取外不可能とするべく、固着手段自体を複雑な構成にする必要がない。従って、固着手段として比較的簡単な構成のものを採用することができ、製造作業性の向上やコストの削減等を図ることができる。尚、「前記規制手段は、固着手段によって前記払出手段に取付けられ」とあるのは「前記規制手段が一体的に設けられた部材は、固着手段によって前記払出手段に取付けられ」といった意味を有する。例えば、規制手段が駆動手段に対して一体的に設けられる構成の場合には、駆動手段を取付けるための固着手段をカバー領域に配置することで、本手段６の作用効果が奏される。
【０２３５】
手段７．前記規制手段は、前記球通路の壁部を構成する壁部構成体に一体的に設けられ、
前記壁部構成体は、取付手段によって前記払出手段に取付けられ、
前記取付手段が前記カバー手段によって覆われるカバー領域に配置されることを特徴とする手段１乃至５のいずれかに記載の遊技機。
【０２３６】
手段７によれば、規制手段が一体的に設けられている壁部構成体は取付手段によって払出手段に取付けられ、当該取付手段は固定手段の取付後においてカバー領域に配置される。このため、カバー手段の取付後において、取付手段への接触を困難又は不可能とすることができ、確実に規制手段を取外不可能とすることができる。従って、上記手段１乃至３の作用効果が確実に奏される。また、取付手段については、カバー手段が取付けられることで取外不可能となるため、規制手段を取外不可能とするべく、取付手段自体を複雑な構成にする必要がない。従って、取付手段として比較的簡単な構成のものを採用することができ、製造作業性の向上やコストの削減等を図ることができる。
【０２３７】
手段８．前記規制手段は前記カバー手段に対して一体的に設けられていることを特徴とする手段１乃至５のいずれかに記載の遊技機。
【０２３８】
手段８によれば、カバー手段は固定手段によって払出手段に取外不可能に取付けられるため、カバー手段に一体的に設けられた規制手段についても取外不可能となる。従って、上記手段１乃至３の作用効果が確実に奏される。
【０２３９】
手段９．前記カバー手段は第１カバー部材と第２カバー部材とを備え、
前記第１カバー部材は前記払出手段に対して取着手段によって取付けられ、
前記第２カバー部材が前記固定手段により前記払出手段に取付けられることで、前記取着手段が、前記第１カバー部材及び前記第２カバー部材によって覆われるカバー領域に配置されることを特徴とする手段１乃至８のいずれかに記載の遊技機。
【０２４０】
手段９によれば、カバー手段が複数のパーツで構成されている。従って、金型構造の複雑化等を防止することができる。また、取着手段はカバー領域に配置されるため、取着手段ひいては第１カバー部材を取外し、カバー領域内部への接触を図るといった不正行為を防止することができる。さらに、取着手段については、第２カバー部材が取付けられることで取外不可能となるため、取着手段自体を複雑な構成にする必要がない。従って、取着手段として比較的簡単な構成のものを採用することができ、製造作業性の向上やコストの削減等が図られる。
【０２４１】
尚、手段８に対応しては、前記第１カバー部材に対して前記規制手段が一体的に形成されていることとしてもよいし、前記第２カバー部材に対して前記規制手段が一体的に形成されていることとしてもよい。つまり、第２カバー部材が固定手段により払出手段に取付けられることで、第１カバー部材及び第２カバー部材が払出手段に対して取外不可能とされるため、規制手段がどちらに設けられているとしても同様の作用効果が奏されることとなる。また、手段７に対応しては、第１カバー部材によって壁部構成体が構成されていることとしてもよい。この場合、取着手段が取付手段に相当する。
【０２４２】
手段１０．前記払出手段は、前記カバー手段によって覆われるカバー領域と前記球通路とを隔離するベース部材を備え、
前記球通路を構成する壁部の一部が、前記払出手段に対して着脱可能に設けられた蓋部材によって構成されることを特徴とする手段１乃至９のいずれかに記載の遊技機。
【０２４３】
手段１０によれば、蓋部材が着脱可能であるため、球通路を開放して球通路内における球詰まりを解消したり、制止部材のメンテナンス（制止部材等に付着した塵の除去等）を行ったりすることができる。
【０２４４】
一方、カバー手段によって覆われるカバー領域については、ベース部材によって球通路から隔離されているため、蓋部材を開けたとしても、球通路側からカバー領域内への接触を困難又は不可能とすることができる。
【０２４５】
また、上記手段７のように取付手段をカバー領域に設置することで規制手段を取外不可能にする場合、又は、上記手段９の構成を採用した上で、規制手段を第１カバー部材に設け、取着手段をカバー領域に配置することで規制手段を取外不可能とする場合においては、球通路が開放可能な構成であっても、規制手段が取外されるといった事態を確実に防止することができる。
【０２４６】
手段１１．前記駆動手段は、前記払出制御装置に対して電気的に接続された電気的接続手段の接続端子部が着脱可能に接続される駆動用接続部を備え、
前記カバー手段により、少なくとも前記駆動用接続部及び当該駆動用接続部に接続される接続端子部が覆われていることを特徴とする手段１乃至１０のいずれかに記載の遊技機。
【０２４７】
手段１１によれば、駆動手段と電気的接続手段とを電気的に接続する駆動用接続部及び接続端子部がカバー手段により覆われている。従って、例えば、駆動手段と電気的接続手段との間に不正な基板（集積回路）を介在させ、駆動手段を誤作動させる等して払出される遊技球の球数を払出すべき球数よりも多くしたり少なくしたりする（いわゆる「ぶら下げ」）といった不正行為を抑制することができる。
【０２４８】
尚、駆動用接続部としては、例えば、駆動手段本体に設けられた受側コネクタや、駆動手段本体から延出する信号線の先端部に設けられた差込側コネクタ等が挙げられる。また、電気的接続手段は、所定の電気部材（本手段では駆動手段）と払出制御装置とを電気的に接続するためのものであり、例えば、ハーネス（ワイヤーハーネス）と中継基板とによって構成されることとしてもよい。加えて、駆動手段としては、例えば、モータやソレノイド等が挙げられ、制止部材としては、例えば、回転することによって遊技球を所定個ずつ下流側に送ることのできる回転部材や、球通路内に出没して遊技球の流下を制止したり許容したりすることのできるシャッタ等が挙げられる。
【０２４９】
手段１２．前記払出検出手段は、前記払出制御装置に対して電気的に接続された電気的接続手段の接続端子部が着脱可能に接続される検出用接続部を備え、
前記カバー手段により、少なくとも前記検出用接続部及び当該検出用接続部に接続される接続端子部が覆われていることを特徴とする手段１乃至１１のいずれかに記載の遊技機。
【０２５０】
手段１２によれば、払出検出手段と電気的接続手段とを電気的に接続する検出用接続部及び接続端子部がカバー手段により覆われている。従って、例えば、払出検出手段と電気的接続手段との間に不正な基板（集積回路）を介在させ、払出検出手段からの信号を異なる信号に改竄する等して、払出される遊技球の球数を払出すべき球数よりも多くしたり少なくしたりするといった不正行為を抑制することができる。
【０２５１】
特に、上記手段１、３の構成を採用する場合には、払出検出手段が取外不可能に構成されるため、例えば、上記手段１０のように球通路が開放可能である場合に、球通路を開放して払出検出手段を引っ張ったとしても、カバー領域に位置していた検出用接続部を球通路側に引っ張り出すことができなくなる。従って、本手段１２の作用効果がより確実に奏される。また、このように検出用接続部が球通路側に露出させられてしまうといった事態を防止できることにより、払出検出手段に受側コネクタを設ける構成であっても、当該受側コネクタから差込側コネクタが取外され、両者間（検出用接続部と接続端子部との間）に不正な基板をぶら下げられてしまうといったおそれを確実に防止することができる。尚、払出検出手段に受側コネクタを設けることによって、例えば、払出検出手段からコネクタを介することなく延びる信号線を他の部材と接続するといった場合に比べ、接続作業性の向上や払出検出手段の生産性の向上を図ることができる。
【０２５２】
手段１３．前記払出検出手段及び前記駆動手段と前記払出制御装置との電気的な接続を中継する装置用中継基板とを備え、
前記装置用中継基板から出力される前記払出検出手段からの信号を前記払出制御装置へ入力するための信号線と、前記払出制御装置から出力される前記駆動手段を制御するための信号を前記装置用中継基板へ入力するための信号線とが１つの共通コネクタによって前記装置用中継基板に接続され、
前記払出制御装置が前記主制御装置及び前記払出検出手段からの信号に基づいて前記駆動手段を駆動制御することで、前記制止部材によって制止されていた遊技球が所定数だけ前記制止部材の下流側に流下し、所定数の遊技球が払出される構成であって、
前記カバー手段により、前記払出検出手段と前記装置用中継基板とを電気的に接続する検出用電気的接続手段、及び前記駆動手段と前記装置用中継基板とを電気的に接続する駆動用電気的接続手段が覆われていることを特徴とする手段１乃至１２のいずれかに記載の遊技機。
【０２５３】
手段１３によれば、装置用中継基板から出力される払出検出手段からの信号を払出制御装置へ入力するための信号線と、払出制御装置から出力される駆動手段を制御するための信号を装置用中継基板へ入力するための信号線とが１つの共通コネクタによって装置用中継基板に接続されている。このため、当該共通コネクタが抜けると、払出検出手段から払出制御装置へ送られる信号だけでなく、払出制御装置から駆動手段に送られる信号も断たれることになる。さらに、装置用中継基板と払出制御装置とを電気的に接続する信号線や共通コネクタについては、どれが払出検出手段に対応する信号線、ピンコンタクト又はソケットコンタクトであって、どれが駆動手段に対応する信号線、ピンコンタクト又はソケットコンタクトであるといった区別がつきにくい。これらの構成により、装置用中継基板と払出制御装置との間に不正な基板を介在させる等の不正行為を抑制することができる。
【０２５４】
また、払出検出手段と装置用中継基板とを接続する検出用電気的接続手段や、駆動手段と装置用中継基盤とを接続する駆動用電気的接続手段においては、払出検出手段に対応する信号線と駆動手段に対応する信号線とが入交じることなくそれぞれ独立しているため、不正な基板を介在させやすい。これに対し、本手段１３では、カバー手段によって検出用電気的接続手段及び駆動用電気的接続手段が覆われている。従って、払出検出手段と装置用中継基板との間や、駆動手段と装置用中継基板との間に不正な基板を介在させる等して、払出される遊技球の球数を払出すべき球数よりも多くしたり少なくしたりするといった不正行為を確実に抑制することができる。
【０２５５】
尚、検出用電気的接続手段（駆動用電気的接続手段）としては、払出検出手段（駆動手段）及び装置用中継基板にそれぞれ設けられた受側コネクタと、各受側コネクタに接続される一対の差込側コネクタと、一対の差込側コネクタ間を繋ぐ信号線とから構成されるものが挙げられる。また、払出検出手段、駆動手段、及び装置用中継基板には必ずしもコネクタが設けられていなくてもよく、例えば、払出検出手段からコネクタを介すことなく延びる信号線の先端部に差込側コネクタが設けられ、当該差込側コネクタが装置用中継基板の受側コネクタに接続されることで払出検出手段と装置用中継基板とが電気的に接続される構成を採用してもよい。また、装置用中継基板と装置用中継基板とを電気的に接続する信号線としては、例えば、それぞれ絶縁した複数本の信号線を束ねて保護被覆で覆ったもの（ケーブル）や、それぞれ絶縁した複数本の信号線が独立してコネクタ間に延在するもの等が挙げられる。
【０２５６】
手段１４．前記固定手段は、一端部において工具の先端部を係合可能な工具係合部を有するねじであり、
前記カバー手段の取付後においては、前記工具係合部が前記ねじから除去されることを特徴とする手段１乃至１３のいずれかに記載の遊技機。
【０２５７】
手段１４によれば、ねじ締着後、十字穴やすりわり等の工具係合部がねじから除去されるため、ねじが取外せなくなる。従って、確実にカバー手段を払出手段に対して取外不可能に取付けることができる。また、例えば、接着剤を用いてカバー手段を払出装置に取付けることも考えられるのであるが、この場合、カバー手段を不正に取外した後、再び接着剤を用いて取付けることで、不正に取り外されたことを発見するために時間を要してしまうことが懸念される。これに対し、本手段のように取外不可能なねじを用いてカバー手段を取付けることで、カバー手段を取外すためには、カバー手段、払出手段、固定手段等に比較的目立つ痕跡を形成せざるを得ない。このため、カバー手段が取外されたことを比較的容易に発見することができる。加えて、工具係合部を接触不可能とするべく、工具係合部に接着剤を注入したり、工具係合部にキャップを被せたりするような場合に比べ、作業性の向上が図られる。
【０２５８】
尚、「前記ねじに対応して前記カバー手段に設けられるねじ孔は、前記カバー手段に設けられた有底状の穴部の底面に形成され、前記ねじは、前記カバー手段の取付後において、前記カバー手段の表面よりもカバー領域の内側に没入するとともに、前記ねじの外径と前記穴部の内径とがほぼ同じに設定されていること」としてもよい。このような構成を採用する場合、ねじの端部をプライヤー等で挟んで回転させ、ねじを取外すといった行為を防止することができる。
【０２５９】
手段１５．前記払出手段は、前記カバー手段によって覆われるカバー領域と前記球通路とを隔離するベース部材を備え、
前記固定手段は、前記カバー手段と一体形成され、前記カバー手段のうち前記ベース部材と対向する部位から前記カバー手段の取付方向に向けて延びる延出部と、前記延出部の略先端部から前記延出部と交差する方向に突出する爪部とを具備する係止部であり、
前記爪部が前記ベース部材に設けられた被係止部に係止されることで前記カバー手段が前記ベース部材に当接状態で取付けられる構成であって、
前記被係合部に係止された前記係止部は前記カバー領域に配置されることを特徴とする手段１乃至１４のいずれかに記載の遊技機。
【０２６０】
手段１５によれば、係止部を被係止部に係止させるだけ（ワンタッチ）で、カバー手段をベース部材（払出手段）に取付けることができ、カバー手段の取付作業性の向上を図ることができる。また、カバー手段を取外すためには爪部の係止状態を解除する必要があるのであるが、係止部はカバー領域内に配置されているため、係止部を操作することができないようになっている。従って、確実にカバー手段を払出手段に対して取外不可能に取付けることができる。
【０２６１】
尚、「前記係止部は、取付状態にある前記カバー手段のうち前記ベース部材と当接する当接部位の外周縁部よりも所定間隔を隔てて内側に設けられること」としてもよい。この場合、係止部の係止状態を解除するといった行為をより確実に防止することができる。
【０２６２】
手段１６．前記カバー手段には、前記固定手段を囲むようにして複数の孔部が近接して形成されていることを特徴とする手段１乃至１５のいずれかに記載の遊技機。
【０２６３】
手段１６によれば、孔部と孔部との間の部位を工具（ニッパー等）等で破断することにより、カバー手段（固定手段によって払出手段に固定されている部位を除く大部分）を払出手段から別離させることができる。従って、遊技機をリサイクルしたり廃棄したりする際に分別しやすく、作業性の向上が図られる。
【０２６４】
以下に、上記各手段が適用される各種遊技機の基本構成を示す。
【０２６５】
Ａ．上記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０２６６】
Ｂ．上記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０２６７】
Ｃ．上記遊技機は、パチンコ機又はパチンコ機に準ずる遊技機であること。
【０２６８】
Ｄ．上記遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的にはストップボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０２６９】
１０…パチンコ機、１１…外枠、１２…内枠、１４…前面枠セット、１５…下皿、１９…上皿、２６１…主制御装置、３１１…払出制御装置、３５５…タンク、３５８…払出手段としての払出装置、３８１…払出中継基板、４０１…球通路、４０２…制止部材としてのスプロケット、４０３…駆動手段としての払出モータ、４０４…払出検出手段としての払出検出スイッチ、４０６…装置用中継基板、４３１…検出用ハーネス、４３２…駆動用ハーネス、４３３…制御用ハーネス、４４１…ベース部材としてのベース板、４４３…カバー手段、第１カバー部材、及び壁部構成体を構成するカバーパネル、４４４…蓋部材、４５４…挿通孔、４５５…支持手段を構成する位置決め突起、４８９…規制手段を構成する台座部、４９１…台座本体、４９２…第２の規制手段としての上突部、４９３…ガイド凹部、４９４…第１の規制手段としての規制壁部、７０１…カバー手段，第２カバー部材を構成するカバー部材、７３１…固定手段を構成する破断ねじ、７３２…工具係合部としての十字穴。
【図１】
0005582200.tif 000002
【図２】
0005582200.tif 000003
【図３】
0005582200.tif 000004
【図４】
0005582200.tif 000005
【図５】
0005582200.tif 000006
【図６】
0005582200.tif 000007
【図７】
0005582200.tif 000008
【図８】
0005582200.tif 000009
【図９】
0005582200.tif 000010
【図１０】
0005582200.tif 000011
【図１１】
0005582200.tif 000012
【図１２】
0005582200.tif 000013
【図１３】
0005582200.tif 000014
【図１４】
0005582200.tif 000015
【図１５】
0005582200.tif 000016
【図１６】
0005582200.tif 000017
【図１７】
0005582200.tif 000018
【図１８】
0005582200.tif 000019
【図１９】
0005582200.tif 000020
【図２０】
0005582200.tif 000021
【図２１】
0005582200.tif 000022
【図２２】
0005582200.tif 000023
【図２３】
0005582200.tif 000024
【図２４】
0005582200.tif 000025
【図２５】
0005582200.tif 000026